(57)【要約】  本願は情報送信方法、端末デバイス、及びネットワーク・デバイスを提供する。方法は：端末デバイスが、制御チャネル・リソース・セットのコンフィギュレーション情報を受信するステップであって、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む、ステップ；端末デバイスが、コンフィギュレーション情報に基づいて制御チャネルの時間−周波数リソースを決定するステップ；及び端末デバイスが、制御チャネルの時間−周波数リソースの制御情報を受信するステップを含む。制御チャネル・リソース・セットのコンフィギュレーション情報は制御チャネルの時間−周波数リソースを示すために使用される。制御チャネルの時間−周波数リソースは不連続的であり、複数の時間−周波数リソース・ブロックを含み、複数の時間−周波数リソース・ブロックの間にインターバルが存在する。制御チャネルにおける制御情報を受信する場合に、端末デバイスは伝送効率を向上させるように、より良い周波数ダイバーシティ・ゲインを得ることができる。
2020523933.tif 000002
【特許請求の範囲】
【請求項１】
情報受信方法であって：
制御チャネル・リソース・セットのコンフィギュレーション情報を受信するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；
前記コンフィギュレーション情報に基づいて前記制御チャネル・リソース・セットを決定するステップ；及び
前記制御チャネル・リソース・セット内の制御情報を受信するステップ；
を含む方法。
【請求項２】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項１に記載の方法。
【請求項３】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項１に記載の方法。
【請求項４】
２つの隣接する時間−周波数リソース・ブロック間の前記インターバルは整数個のＲＥＧに対応する周波数ドメイン・リソースである、又は２つの隣接する時間−周波数リソース・ブロック間の前記インターバルは整数個のＲＥＧセットに対応する周波数ドメイン・リソースである、請求項２又は３に記載の方法。
【請求項５】
２つの隣接する時間−周波数リソース・ブロック間の前記インターバルは１つ以上の値を含む、請求項４に記載の方法。
【請求項６】
前記ＲＥＧセットの周波数ドメイン・サイズは、周波数ドメインにおいて連続する又は隣接する２個のＲＥＧ、３個のＲＥＧ、又は６個のＲＥＧである、請求項２−５のうちの何れか１項に記載の方法。
【請求項７】
前記ＲＥＧセットの時間ドメイン・サイズは、時間ドメインにおいて連続する又は隣接する１個のＲＥＧ、２個のＲＥＧ、又は３個のＲＥＧである、請求項２−５のうちの何れか１項に記載の方法。
【請求項８】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項１−７のうちの何れか１項に記載の方法。
【請求項９】
前記ＲＥＧセットに含まれるＲＥＧの量は予め定められている、請求項２−８のうちの何れか１項に記載の方法。
【請求項１０】
制御チャネル・リソース・セットのコンフィギュレーション情報を生成するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；及び
前記コンフィギュレーション情報を送信するステップ；
を含む方法。
【請求項１１】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項１０に記載の方法。
【請求項１２】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項１０に記載の方法。
【請求項１３】
２つの隣接する時間−周波数リソース・ブロック間の前記インターバルは周波数ドメインにおける整数個のＲＥＧに対応する周波数ドメイン・リソースである、又は２つの隣接する時間−周波数リソース・ブロック間の前記インターバルは周波数ドメインにおける整数個のＲＥＧセットに対応する周波数ドメイン・リソースである、請求項１１又は１２に記載の方法。
【請求項１４】
２つの隣接する時間−周波数リソース・ブロック間の前記インターバルは１つ以上の値を含む、請求項１３に記載の方法。
【請求項１５】
前記ＲＥＧセットの周波数ドメイン・サイズは、周波数ドメインにおいて連続する又は隣接する２個のＲＥＧ、３個のＲＥＧ、又は６個のＲＥＧである、請求項１１−１４のうちの何れか１項に記載の方法。
【請求項１６】
前記ＲＥＧセットの時間ドメイン・サイズは、時間ドメインにおいて連続する又は隣接する１個のＲＥＧ、２個のＲＥＧ、又は３個のＲＥＧである、請求項１１−１４のうちの何れか１項に記載の方法。
【請求項１７】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項１０−１６のうちの何れか１項に記載の方法。
【請求項１８】
前記ＲＥＧセットに含まれるＲＥＧの量は予め定められている、請求項１１−１７のうちの何れか１項に記載の方法。
【請求項１９】
プロセッサとメモリとを含む情報受信装置であって、前記メモリは命令を保存するように構成されており、前記プロセッサは、以下のオペレーション：
制御チャネル・リソース・セットのコンフィギュレーション情報を受信するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；
前記コンフィギュレーション情報に基づいて前記制御チャネル・リソース・セットを決定するステップ；及び
前記制御チャネル・リソース・セット内の制御情報を受信するステップ；
を行うように前記装置を制御するために、前記メモリに保存されている前記命令を実行するように構成されている、装置。
【請求項２０】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項１９に記載の装置。
【請求項２１】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項１９に記載の装置。
【請求項２２】
２つの隣接する時間−周波数リソース・ブロック間の前記インターバルは周波数ドメインにおける整数個のＲＥＧに対応する周波数ドメイン・リソースである、又は２つの隣接する時間−周波数リソース・ブロック間の前記インターバルは周波数ドメインにおける整数個のＲＥＧセットに対応する周波数ドメイン・リソースである、請求項２０又は２１に記載の装置。
【請求項２３】
２つの隣接する時間−周波数リソース・ブロック間の前記インターバルは１つ以上の値を含む、請求項２２に記載の装置。
【請求項２４】
前記ＲＥＧセットの周波数ドメイン・サイズは、周波数ドメインにおいて連続する又は隣接する２個のＲＥＧ、３個のＲＥＧ、又は６個のＲＥＧである、請求項２０−２３のうちの何れか１項に記載の装置。
【請求項２５】
前記ＲＥＧセットの時間ドメイン・サイズは、時間ドメインにおいて連続する又は隣接する１個のＲＥＧ、２個のＲＥＧ、又は３個のＲＥＧである、請求項２０−２３のうちの何れか１項に記載の装置。
【請求項２６】
同期信号ブロックの周波数ドメイン中心位置から前記リソース・セットの周波数ドメイン中心位置までのオフセットは前記コンフィギュレーション情報により示されることに関連し、前記同期信号ブロックはブロードキャスト情報と同期信号とを含み、前記ブロードキャスト情報は前記コンフィギュレーション情報を含む、請求項１９−２３のうちの何れか１項に記載の装置。
【請求項２７】
前記ＲＥＧセットに含まれるＲＥＧの量は予め定められている、請求項２０−２６のうちの何れか１項に記載の装置。
【請求項２８】
プロセッサとメモリとを含む情報送信装置であって、前記メモリは命令を保存するように構成されており、前記プロセッサは、以下のオペレーション：
制御チャネル・リソース・セットのコンフィギュレーション情報を生成するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；及び
前記コンフィギュレーション情報を送信するステップ；
を行うように前記装置を制御するために、前記メモリに保存されている前記命令を実行するように構成されている、装置。
【請求項２９】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項２８に記載の装置。
【請求項３０】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項２８に記載の装置。
【請求項３１】
２つの隣接する時間−周波数リソース・ブロック間の前記インターバルは周波数ドメインにおける整数個のＲＥＧに対応する周波数ドメイン・リソースである、又は２つの隣接する時間−周波数リソース・ブロック間の前記インターバルは周波数ドメインにおける整数個のＲＥＧセットに対応する周波数ドメイン・リソースである、請求項２９又は３０に記載の装置。
【請求項３２】
２つの隣接する時間−周波数リソース・ブロック間の前記インターバルは１つ以上の値を含む、請求項３１に記載の装置。
【請求項３３】
前記ＲＥＧセットの周波数ドメイン・サイズは、周波数ドメインにおいて連続する又は隣接する２個のＲＥＧ、３個のＲＥＧ、又は６個のＲＥＧである、請求項２９−３２のうちの何れか１項に記載の装置。
【請求項３４】
前記ＲＥＧセットの時間ドメイン・サイズは、時間ドメインにおいて連続する又は隣接する１個のＲＥＧ、２個のＲＥＧ、又は３個のＲＥＧである、請求項２９−３２のうちの何れか１項に記載の装置。
【請求項３５】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項２８−３２のうちの何れか１項に記載の装置。
【請求項３６】
前記ＲＥＧセットに含まれるＲＥＧの量は予め定められている、請求項２９−３５のうちの何れか１項に記載の装置。
【請求項３７】
コンピュータ・プログラムを保存するように構成されるコンピュータ読み取り可能な記憶媒体であって、前記コンピュータ・プログラムがコンピュータで実行されると、前記コンピュータは請求項１−９のうちの何れか１項に記載の方法を実行するように動作させられる、記憶媒体。
【請求項３８】
コンピュータ・プログラムを保存するように構成されるコンピュータ読み取り可能な記憶媒体であって、前記コンピュータ・プログラムがコンピュータで実行されると、前記コンピュータは請求項１０−１８のうちの何れか１項に記載の方法を実行するように動作させられる、記憶媒体。
【発明の詳細な説明】
【背景技術】
【０００１】
本願は「情報送信方法、端末デバイス、及びネットワーク・デバイス」と題する２０１７年６月１６日付で中国特許庁に出願された中国特許出願第２０１７１０４６１７１１．２号による優先権を主張しており、その全内容を本願に援用する。
【０００２】
技術分野
本願は通信の分野に関連し、より具体的には、通信の分野における情報送信方法、端末デバイス、及びネットワーク・デバイスに関連する。
【０００３】
背景技術
第３世代パートナーシップ・プロジェクト（３ｒｄ  ｇｅｎｅｒａｔｉｏｎ  ｐａｒｔｎｅｒｓｈｉｐ  ｐｒｏｊｅｃｔ，３ＧＰＰ）により策定されるロング・ターム・エボリューション（ｌｏｎｇ  ｔｅｒｍ  ｅｖｏｌｕｔｉｏｎ，ＬＴＥ）システム規格は、第４世代ワイヤレス・アクセス・システム規格と考えられ、ＬＴＥシステムは６ＧＨｚより低い周波数バンドのレンジで広く展開されている。しかしながら、分割可能なスペクトルの分布に基づくと、第５世代ワイヤレス・アクセス・システムのキャリア周波数は、第４世代ワイヤレス・アクセス・システムのものより高く、選択されるべき周波数レンジは３０ＧＨｚ、６０ＧＨｚ等を含む可能性が非常に高い。
【０００４】
端末デバイスがシステムに最初にアクセスする場合、同期信号ブロック（ｓｙｎｃｈｒｏｎｉｚａｔｉｏｎ  ｓｉｇｎａｌ  ｂｌｏｃｋ，ＳＳブロック）が検出される必要があり、同期信号ブロックは同期信号とブロードキャスト・チャネルとを含む。端末デバイスは、制御チャネルの時間−周波数リソースを得るために、ブロードキャスト・チャネルで運ばれるブロードキャスト情報を受信する。ＬＴＥシステムでは、ブロードキャスト情報はシステム帯域幅情報を運び、システム帯域幅情報は、制御チャネル・リソース・セットの周波数ドメイン・リソースを示すために使用される。第５世代（５−Ｇｅｎｅｒａｔｉｏｎ，５Ｇ）移動通信技術のために開発された新世代ワイヤレス通信システムは、ニュー・ラジオ（ｎｅｗ  ｒａｄｉｏ，ＮＲ）と呼ばれる。ＮＲはより大きな帯域幅とより豊富なサービスをサポートする。５Ｇシステムでは、システム帯域幅情報はブロードキャスト情報に含まれておらず、従ってユーザー装置はインバウンド帯域幅情報を得ることはできない。更に、ブロードキャスト情報により示される制御チャネル・リソース・セットが、連続する周波数ドメイン・リソースを占めることが、関連する技術的ソリューションで提案されている。
【発明の概要】
【０００５】
本願は、情報送信方法、端末デバイス、及びネットワーク・デバイスを提供する。制御チャネル・リソース・セットのコンフィギュレーション情報は、制御チャネルの時間−周波数リソースを示すために使用され、制御チャネルの時間−周波数リソースは、不連続的であり、複数の時間−周波数リソース・ブロックを含み、複数の時間−周波数リソース・ブロックの間にインターバルが存在する。制御チャネルで制御情報を受信する場合に、端末デバイスは伝送効率を向上させるように、より良い周波数ダイバーシティ・ゲインを得ることができる。
【０００６】
第１態様によれば、情報送信方法が提供される。方法は：端末デバイスが、制御チャネル・リソース・セットのコンフィギュレーション情報を受信するステップであって、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む、ステップ；端末デバイスが、コンフィギュレーション情報に基づいて制御チャネルの時間−周波数リソースを決定するステップ；及び端末デバイスが、制御チャネルの時間−周波数リソースで制御情報を受信するステップを含む。
【０００７】
第１態様で提供される情報送信方法において、制御チャネル・リソース・セットのコンフィギュレーション情報は、制御チャネルの時間−周波数リソースを示すために使用され、制御チャネルの時間−周波数リソースは、不連続的であり、複数の時間−周波数リソース・ブロックを含み、複数の時間−周波数リソース・ブロックの間にインターバルが存在する。従って、チャネル環境の中で比較的多数の信号経路が生じたとしても、端末デバイスは、制御チャネルで制御情報を受信する場合に、より良い周波数ダイバーシティ・ゲインを獲得し、伝送効率を向上させることができる。
【０００８】
第１態様の可能な実装において、時間−周波数リソース・ブロックは少なくとも１つのリソース・エレメント・グループＲＥＧセットを含み、ＲＥＧセットは時間ドメイン又は周波数ドメインにおいて連続する又は隣接する複数のＲＥＧを含む。
【０００９】
第１態様の可能な実装において、２つの隣接する時間−周波数リソース・ブロック間のインターバルは、周波数ドメインにおいて、整数個のＲＥＧに対応する周波数ドメイン・リソース、又は整数個のＲＥＧセットに対応する周波数ドメイン・リソースを含む。
【００１０】
第１態様の可能な実装において、リソース・セットの周波数ドメイン中心位置についてのオフセットであって、同期信号ブロックの周波数ドメイン中心位置に対するオフセットが、予め規定されるか、又はコンフィギュレーション情報により示され；及び同期信号ブロックはコンフィギュレーション情報を含む。
【００１１】
第１態様の可能な実装において、時間−周波数リソース・ブロックの量と、２つの隣接する時間−周波数リソース・ブロック間のインターバルとのうちの少なくとも１つが予め規定されている。
【００１２】
第１態様の可能な実装において、時間−周波数リソース・ブロックに含まれるＲＥＧセットの量と、ＲＥＧセットに含まれるＲＥＧの量とのうちの少なくとも１つが予め規定されるか、又はコンフィギュレーション情報により示される。
【００１３】
第１態様の可能な実装において、同期信号ブロックの周波数ドメイン中心位置からリソース・セットの周波数ドメイン中心位置までのオフセットは、同期信号ブロックにおけるセル識別子に基づいて決定される。
【００１４】
第２態様によれば、情報送信方法が提供される。方法は：ネットワーク・デバイスが、制御チャネル・リソース・セットのコンフィギュレーション情報を生成するステップであって、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む、ステップ；及びネットワーク・デバイスにより、コンフィギュレーション情報を送信するステップを含む。
【００１５】
第２態様で提供される情報送信方法において、ネットワーク・デバイスは、制御チャネルの時間−周波数リソースを示すために、制御チャネル・リソース・セットのコンフィギュレーション情報を利用し、制御チャネルの時間−周波数リソースは、不連続的であり、複数の時間−周波数リソース・ブロックを含み、複数の時間−周波数リソース・ブロックの間にインターバルが存在する。従って、チャネル環境の中で比較的多数の信号経路が生じたとしても、端末デバイスは、制御チャネルで制御情報を受信する場合に、より良い周波数ダイバーシティ・ゲインを獲得し、伝送効率を向上させることができる。
【００１６】
第２態様の可能な実装において、時間−周波数リソース・ブロックは少なくとも１つのリソース・エレメント・グループＲＥＧセットを含み、ＲＥＧセットは時間ドメイン又は周波数ドメインにおいて連続する又は隣接する複数のＲＥＧを含む。
【００１７】
第２態様の可能な実装において、２つの隣接する時間−周波数リソース・ブロック間のインターバルは、周波数ドメインにおいて、整数個のＲＥＧに対応する周波数ドメイン・リソース、又は整数個のＲＥＧセットに対応する周波数ドメイン・リソースを含む。
【００１８】
第２態様の可能な実装において、リソース・セットの周波数ドメイン中心位置についてのオフセットであって、同期信号ブロックの周波数ドメイン中心位置に対するオフセットが、予め規定されるか、又はコンフィギュレーション情報により示され；及び同期信号ブロックはコンフィギュレーション情報を含む。
【００１９】
第２態様の可能な実装において、時間−周波数リソース・ブロックの量と、２つの隣接する時間−周波数リソース・ブロック間のインターバルとのうちの少なくとも１つが予め規定されている。
【００２０】
第２態様の可能な実装において、時間−周波数リソース・ブロックに含まれるＲＥＧセットの量と、ＲＥＧセットに含まれるＲＥＧの量とのうちの少なくとも１つが予め規定されている、又はコンフィギュレーション情報により示される。
【００２１】
第２態様の可能な実装において、同期信号ブロックの周波数ドメイン中心位置からリソース・セットの周波数ドメイン中心位置までのオフセットは、同期信号ブロックにおけるセル識別子に基づいて決定される。
【００２２】
第３態様によれば、端末デバイスが提供される。端末デバイスは、プロセッサと、メモリと、トランシーバとを含み、これらは上記の方法における対応する機能を実行する際に端末デバイスをサポートするように構成される。プロセッサと、メモリと、トランシーバとは接続されている。メモリは命令を保存する。プロセッサにより駆動されるトランシーバは、特定の信号を送信又は受信するように構成される。プロセッサは、第１態様の情報送信方法及び第１態様の様々な実装を実現するために命令を呼び出すように構成される。
【００２３】
第４態様によれば、端末デバイスが提供される。端末デバイスは、処理モジュールと、ストレージ・モジュールと、トランシーバ・モジュールとを含み、これらは第１態様又は第１態様の可能な実装のうちの任意の１つにおける端末デバイスの機能を実行する際に端末デバイスをサポートするように構成される。機能はハードウェアにより実装されてもよいし、あるいはハードウェアにより実行される対応するソフトウェアにより実装されてもよい。ハードウェア又はソフトウェアは機能に対応する１つ以上のモジュールを含む。
【００２４】
第５形態によれば、ネットワーク・デバイスが提供される。ネットワーク・デバイスは、プロセッサと、メモリと、トランシーバとを含み、これらは上記の方法における対応する機能を実行する際にネットワーク・デバイスをサポートするように構成される。プロセッサと、メモリと、トランシーバとは接続されている。メモリは命令を保存する。プロセッサにより駆動されるトランシーバは、特定の信号を送信又は受信するように構成される。プロセッサは、第２態様の情報送信方法及び第２態様の様々な実装を実現するために命令を呼び出すように構成される。
【００２５】
第６態様によれば、ネットワーク・デバイスが提供される。ネットワーク・デバイスは、処理モジュールと、ストレージ・モジュールと、トランシーバ・モジュールとを含み、これらは第２態様又は第２態様の可能な実装のうちの任意の１つにおける端末デバイスの機能を実行する際に端末デバイスをサポートするように構成される。機能はハードウェアにより実装されてもよいし、あるいはハードウェアにより実行される対応するソフトウェアにより実装されてもよい。ハードウェア又はソフトウェアは機能に対応する１つ以上のモジュールを含む。
【００２６】
第７態様によれば、通信システムが提供される。通信システムは、第３態様又は第４態様で提供される端末デバイスと、第５態様又は第６態様で提供されるネットワーク・デバイスとを含む。通信システムは、第１態様及び第２態様で提供されるリファレンス信号シーケンスを決定する方法を実現することができる。
【００２７】
第８態様によれば、コンピュータ読み取り可能な記憶媒体が提供され、コンピュータ・プログラムを保存するように構成される。コンピュータ・プログラムは、第１態様又は第１態様の可能な実装のうちの任意の１つにおける方法を実行するために使用される命令を含む。
【００２８】
第９態様によれば、コンピュータ読み取り可能な記憶媒体が提供され、コンピュータ・プログラムを保存するように構成される。コンピュータ・プログラムは、第２態様又は第２態様の可能な実装のうちの任意の１つにおける方法を実行するために使用される命令を含む。
【図面の簡単な説明】
【００２９】
【図１】同期信号ブロックの概略的な構造図である。
【００３０】
【図２】従来技術における共通探索空間の時間−周波数リソースの概略図である。
【００３１】
【図３】本願における情報送信方法及び装置に適用可能な通信システムの概略図である。
【００３２】
【図４】本願の実施形態による情報送信方法の概略フローチャートである。
【００３３】
【図５】本願の実施形態によるＲＥＧの概略図である。
【００３４】
【図６】本願の別の実施形態によるＲＥＧの概略図である。
【００３５】
【図７】本願の実施形態によるＲＥＧセットの概略図である。
【００３６】
【図８】本願の別の実施形態によるＲＥＧセットの概略図である。
【００３７】
【図９】本願の別の実施形態によるＲＥＧセットの概略図である。
【００３８】
【図１０】本願の実施形態による制御チャネル・リソース・セットの概略図である。
【００３９】
【図１１】本願の実施形態による異なるセルの制御チャネル・リソース・セットの周波数ドメイン中心位置オフセットの概略図である。
【００４０】
【図１２】本願の別の実施形態による異なるセルの制御チャネル・リソース・セットの周波数ドメイン・オフセットの概略図である。
【００４１】
【図１３】本願の別の実施形態による情報送信方法の概略フローチャートである。
【００４２】
【図１４】本願の実施形態による端末デバイスの概略ブロック図である。
【００４３】
【図１５】本願の別の実施形態による端末デバイスの概略ブロック図である。
【００４４】
【図１６】本願の実施形態によるネットワーク・デバイスの概略ブロック図である。
【００４５】
【図１７】本願の別の実施形態によるネットワーク・デバイスの概略ブロック図である。
【発明を実施するための形態】
【００４６】
以下、添付図面を参照しながら本願の技術的ソリューションを説明する。
【００４７】
本明細書で使用される「コンポーネント」、「モジュール」、及び「システム」等の用語はコンピュータ関連エンティティ、ハードウェア、ファームウェア、ハードウェア及びソフトウェアの組み合わせ、ソフトウェア、又は実行されるソフトウェアを示すために使用される。例えば、コンポーネントは、プロセッサで動作するプロセス、プロセッサ、オブジェクト、実行可能なファイル、実行のスレッド、プログラム、及び／又はコンピュータであってもよいが、これらに限定されない。図示されるように、コンピューティング・デバイスで動作するアプリケーション及びコンピューティング・デバイス双方がコンポーネントであってもよい。１つ以上のコンポーネントは、プロセス及び／又は実行スレッドの中にあってもよく、コンポーネントは１つのコンピュータに置かれてもよいし、及び／又は２つ以上のコンピュータの間に分散されてもよい。更に、コンポーネントは、様々なデータ構造を保存する様々なコンピュータ読み取り可能な媒体から実行されてもよい。例えば、コンポーネントは、ローカル及び／又はリモートのプロセスを利用することにより、及び１つ以上のデータ・パケット（例えば、ローカル・システム、分散システムにおける他のコンポーネントとともに相互作用する２つのコンポーネントからのデータ、及び／又は信号を利用して他のシステムと相互作用するインターネット等のネットワークを介するデータ）を有する信号に基づいて通信してもよい。
【００４８】
本願の技術的ソリューションは、例えば、ＬＴＥ／ＬＴＥ−Ａシステム、ＬＴＥ／ＬＴＥ−Ａ周波数分割複信（ｆｒｅｑｕｅｎｃｙ  ｄｉｖｉｓｉｏｎ  ｄｕｐｌｅｘ，ＦＤＤ）システム、ＬＴＥ／ＬＴＥ−Ａ時分割複信（ｔｉｍｅ  ｄｉｖｉｓｉｏｎ  ｄｕｐｌｅｘ，ＴＤＤ）システム、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ，ＵＭＴＳ）、マイクロ波アクセスの世界的相互運用性（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）通信システム、公衆移動端末網（ｐｕｂｌｉｃ  ｌａｎｄ  ｍｏｂｉｌｅ  ｎｅｔｗｏｒｋ，ＰＬＭＮ）システム、デバイス・ツー・デバイス（ｄｅｖｉｃｅ  ｔｏ  ｄｅｖｉｃｅ，Ｄ２Ｄ）ネットワーク・システム又はマシン・ツー・マシン（ｍａｃｈｉｎｅ  ｔｏ  ｍａｃｈｉｎｅ，Ｍ２Ｍ）ネットワーク・システム、ワイファイ（ｗｉｒｅｌｅｓｓ  ｆｉｄｅｌｉｔｙ，Ｗｉ−Ｆｉ）システム、ワイヤレス・ローカル・エリア・ネットワーク（ｗｉｒｅｌｅｓｓ  ｌｏｃａｌ  ａｒｅａ  ｎｅｔｗｏｒｋｓ，ＷＬＡＮ）、及び将来の５Ｇ通信システム等の様々な通信システムに適用され得ることが理解されるべきである。
【００４９】
本願の実施形態において、端末デバイスはまた、ユーザー装置（ｕｓｅｒ  ｅｑｕｉｐｍｅｎｔ，ＵＥ）、モバイル・ステーション（ｍｏｂｉｌｅ  ｓｔａｔｉｏｎ，ＭＳ）、移動端末（ｍｏｂｉｌｅ  ｔｅｒｍｉｎａｌ）等と言及され得ることが更に理解されるべきである。端末デバイスは、ワイヤレス・アクセス・ネットワーク（ｒａｄｉｏ  ａｃｃｅｓｓ  ｎｅｔｗｏｒｋ，ＲＡＮ）を介して１つ以上のコア・ネットワークと通信することができる。例えば、端末デバイスは、様々な携帯デバイス、車載デバイス、ウェアラブル・デバイス、及びワイヤレス通信機能を有するコンピューティング・デバイス、又はワイヤレス・モデムに接続される別の処理デバイスを含んでもよい。端末デバイスはまた、加入者ユニット、セルラ電話（ｃｅｌｌｕｌａｒ  ｐｈｏｎｅ）、スマート・フォン（ｓｍａｒｔ  ｐｈｏｎｅ）、ワイヤレス・データ・カード、パーソナル・ディジタル・アシスタント（Ｐｅｒｓｏｎａｌ  Ｄｉｇｉｔａｌ  Ａｓｓｉｓｔａｎｔ，ＰＤＡ）コンピュータ、タブレット・コンピュータ、ワイヤレス・モデム（ｍｏｄｅｍ）、ハンドセット（ｈａｎｄｓｅｔ）、ラップトップ・コンピュータ（ｌａｐｔｏｐ  ｃｏｍｐｕｔｅｒ）、マシン・タイプ通信（ｍａｃｈｉｎｅ  ｔｙｐｅ  ｃｏｍｍｕｎｉｃａｔｉｏｎ，ＭＴＣ）端末、ワイヤレス・ローカル・エリア・ネットワーク（ｗｉｒｅｌｅｓｓ  ｌｏｃａｌ  ａｒｅａ  ｎｅｔｗｏｒｋｓ，ＷＬＡＮ）におけるステーション（ｓｔａｔｉｏｎ，ＳＴ）等を含み得る。端末デバイスは、セルラ電話、コードレス電話セット、セッション・イニシエーション・プロトコル（Ｓｅｓｓｉｏｎ  Ｉｎｉｔｉａｔｉｏｎ  Ｐｒｏｔｏｃｏｌ，ＳＩＰ）電話、ワイヤレス・ローカル・ループ（ｗｉｒｅｌｅｓｓ  ｌｏｃａｌ  ｌｏｏｐ，ＷＬＬ）ステーション、及び次世代通信システム、例えば、５Ｇネットワークにおける端末デバイス、又は将来の発展した公衆移動通信網（Ｐｕｂｌｉｃ  Ｌａｎｄ  Ｍｏｂｉｌｅ  Ｎｅｔｗｏｒｋ，ＰＬＭＮ）における端末デバイスであってもよい。これは本願の実施形態で限定されない。
【００５０】
基地局はまた、ネットワーク・サイド・デバイス、又はアクセス・ネットワーク・デバイスと言及されてもよいことが更に理解されるべきである。ネットワーク・サイド・デバイスは、端末デバイスと通信するように構成されるデバイスであり得る。ネットワーク・デバイスは、ＬＴＥシステムにおけるエボルブドＮｏｄｅＢ（ｅｖｏｌｕｔｉｏｎａｌ  Ｎｏｄｅ  Ｂ，ｅＮＢ  ｏｒ  ｅＮｏｄｅＢ）、ＮＲにおけるｇＮＢ、アクセス・ポイント、基地局トランシーバ、送受信ポイント等であってもよいし、あるいは車載デバイス、ウェアラブル・デバイス、将来の５Ｇネットワークにおけるネットワーク・デバイス、又は将来のエボルブドＰＬＭＮシステムにおけるネットワーク・サイド・デバイスであってもよい。例えば、ネットワーク・サイド・デバイスは、ＷＬＡＮにおけるアクセス・ポイント（ａｃｃｅｓｓ  ｐｏｉｎｔ，ＡＰ）であってもよいし、あるいは移動通信用グローバル・システム（ｇｌｏｂａｌ  ｓｙｓｔｅｍ  ｆｏｒ  ｍｏｂｉｌｅ  ｃｏｍｍｕｎｉｃａｔｉｏｎ，ＧＳＭ）又は符号分割多元接続（ｃｏｄｅ  ｄｉｖｉｓｉｏｎ  ｍｕｌｔｉｐｌｅ  ａｃｃｅｓｓ，ＣＤＭＡ）におけるベース・トランシーバ・ステーション（Ｂａｓｅ  Ｔｒａｎｓｃｅｉｖｅｒ  Ｓｔａｔｉｏｎ，ＢＴＳ）であってもよい。ネットワーク・デバイスはＬＴＥシステムにおけるエボルブドＮｏｄｅＢ（ｅｖｏｌｖｅｄ  ＮｏｄｅＢ，ｅＮＢ  ｏｒ  ｅＮｏｄｅＢ）であってもよい。代替的に、ネットワーク・デバイスは第３世代（３ｒｄ  Ｇｅｎｅｒａｔｉｏｎ，３Ｇ）システムにおけるノードＢ（Ｎｏｄｅ  Ｂ）であってもよい。更に、ネットワーク・デバイスは、リレー・ノード、アクセス・ポイント、車載デバイス、ウェアラブル・デバイス、将来の５Ｇネットワークにおけるネットワーク・デバイス、将来の発展したＰＬＭＮネットワークにおけるネットワーク・デバイス等であってもよい。これは本願の実施形態で限定されない。説明を容易にするために、本願の全ての実施形態において、ＭＳに無線通信機能を提供する上記の装置はまとめてネットワーク・デバイスと言及される。
【００５１】
以下、本願の実施形態における用語を簡単に説明する。
【００５２】
シンボルは、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，ＯＦＤＭ）シンボル、スパース符号多元接続（ｓｐａｒｓｅ  ｃｏｄｅ  ｍｕｌｔｉｐｌｅｘｉｎｇ  ａｃｃｅｓｓ，ＳＣＭＡ）シンボル、フィルタ処理された直交周波数分割多重（ｆｉｌｔｅｒｅｄ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ，Ｆ−ＯＦＤＭ）シンボル、非直交多元接続（ｎｏｎ−ｏｒｔｈｏｇｏｎａｌ  ｍｕｌｔｉｐｌｅ  ａｃｃｅｓｓ，ＮＯＭＡ）シンボル等を含むが、これらに限定されない。これは本願の実施形態で限定されない。
【００５３】
サブフレームは、周波数ドメインにおける全てのシステム帯域幅と、時間ドメインにおける固定持続時間（例えば１ｍｓ）とを占有する時間−周波数リソースを含む時間−周波数リソース・エレメントである。
【００５４】
スロットは、時間ドメインにおいて７つの連続するシンボルを占める基本的な時間−周波数リソース・エレメントを指す。これは本願の実施形態で限定されない。
【００５５】
サブキャリアの幅は、周波数ドメインにおける最小の粒度である。例えば、ＬＴＥシステムでは、１サブキャリアのサブキャリア幅は１５ｋＨｚであり；５Ｇシステムでは、１サブキャリア幅は、１５ｋＨｚ、３０ｋＨｚ、６０ｋＨｚ等であり得る。これは本願の実施形態で限定されない。
【００５６】
物理リソース・ブロック（ｐｈｙｓｉｃａｌ  ｒｅｓｏｕｒｃｅ  ｂｌｏｃｋ，ＰＲＢ）は、周波数ドメインにおけるＰ個の連続するサブキャリアと、時間ドメインにおけるＱ個の連続するＯＦＤＭシンボルとを占有し、Ｐ及びＱは１より大きな自然数である。例えば、物理リソース・ブロックは、周波数ドメインにおける１２個の連続するサブキャリアと、時間ドメインにける７個の連続するＯＦＤＭシンボルとを占有することが可能であり、この場合、Ｐ＝１２及びＱ＝７である。代替的に、Ｐ＝１２及びＱ＝１４である。これは本願の実施形態で限定されない。
【００５７】
リソース・エレメント・グループ（ｒｅｓｏｕｒｃｅ  ｅｌｅｍｅｎｔ  ｇｒｏｕｐ，ＲＥＧ）は、周波数ドメインにおけるＰ個の連続するサブキャリアと、時間ドメインにおけるＱ個の連続するＯＦＤＭシンボルとを占有し、ここで、Ｐは１より大きな自然数である。例えば、リソース・エレメント・グループは、周波数ドメインにおける１２個の連続するサブキャリアと、時間ドメインにおける１つのＯＦＤＭシンボルとを占有することが可能であり、この場合Ｐ＝１２及びＱ＝１である。これは本願の実施形態で限定されない。
【００５８】
制御チャネル・エレメント（ｃｏｎｔｒｏｌ  ｃｈａｎｎｅｌ  ｅｌｅｍｅｎｔ，ＣＣＥ）は複数のリソース・エレメント・グループに対応する。１つの制御チャネル・エレメントは、例えば６個のリソース・エレメント・グループ等の固定数のリソース・エレメント・グループに対応する。これは本願の実施形態で限定されない。
【００５９】
端末デバイスがシステムに始めてアクセスする場合、同期信号ブロックが検出されることを要する。図１は同期信号ブロックの構造的な概略図である。同期信号ブロックは同期信号とブロードキャスト・チャネルとを含むことを図１から学ぶことができる。同期信号は、プライマリ同期信号（ｐｒｉｍａｒｙ  ｓｙｎｃｈｒｏｎｉｚａｔｉｏｎ  ｓｉｇｎａｌ，ＰＳＳ）とセカンダリ同期信号（ｓｅｃｏｎｄａｒｙ  ｓｙｎｃｈｒｏｎｉｚａｔｉｏｎ  ｓｉｇｎａｌ，ＳＳＳ）とを含む。同期信号は同期信号シーケンスのフォーマットで送信され、異なる同期信号シーケンスは異なるセル識別子に対応する。ブロードキャスト・チャネルは２４個のＰＲＢを占有し、プライマリ同期信号及びセカンダリ同期信号は１２個のＰＲＢを占有し、同期信号ブロックは時間ドメインにおいて４シンボル長を占有する。端末デバイスは、制御チャネルの時間−周波数リソースを得るために、ブロードキャスト・チャネルで運ばれるブロードキャスト情報を受信する。制御チャネルの時間−周波数リソースは、少なくとも共通探索空間を含む。共通探索空間は、端末デバイスがサービング・セルの中でブロードキャスト・シグナリングを受信する時間−周波数リソースである。ブロードキャスト・シグナリングは、ページング情報をスケジューリングするための制御情報と、ランダム・アクセス応答情報を示す制御情報とのうちの少なくとも１つのタイプを含む。
【００６０】
ＬＴＥシステムでは、ブロードキャスト情報はシステム帯域幅情報を運んでおり、システム帯域幅情報は、制御チャネル・リソース・セットの周波数ドメイン・リソースを示すために使用される。例えば、ブロードキャスト情報は３ビット情報を含み、システム帯域幅の中の｛６，１５，２５，５０，７５，１００｝物理リソース・ブロックに対応する、あるいは｛１．４ＭＨｚ，３ＭＨｚ，５ＭＨｚ，１０ＭＨｚ，１５ＭＨｚ，２０ＭＨｚ｝帯域幅値に対応する。
【００６１】
５Ｇシステムでは、システム帯域幅情報はブロードキャスト情報に含まれておらず、従ってユーザー装置はインバウンド帯域幅情報を得ることはできない。更に、図２に示されるように、ブロードキャスト情報により示される制御チャネル・リソース・セットが、連続する周波数ドメイン・リソースを占有することが、関連技術ソリューションで提案されている。図２は従来技術における共通探索空間の時間−周波数リソースの概略図である。図２において、水平軸は周波数ドメインであり、各セルの共通探索空間（ｃｏｍｍｏｎ  ｓｅａｒｃｈ  ｓｐａｃｅ，ＣＳＳ）は、例えば８個のＣＣＥのような複数のＣＣＥを含む。各々のＣＣＥは周波数ドメインにおいて６つのＰＲＢを含み、制御チャネルは時間ドメインにおいて１つのＯＦＤＭシンボルを占有する。図２において、２，１，０，−１，及び−２は、ブロードキャスト情報の中心周波数から、様々なセルの制御チャネルの周波数ドメイン・リソースまでのオフセットであり、正の値及び負の値は反対方向のオフセットを表す。１つのセルに関し、制御チャネルにより占有される周波数ドメイン・リソースは連続的であり、具体的には、８つのＣＣＥｓの間にインターバルは存在しないことを、図２から学ぶことができる。更に、図２に示されるように、５つの異なるセルの制御チャネルは、周波数ドメインにおいて部分的にオーバーラップしている。従って、制御情報は隣接セルにより容易く干渉してしまう。制御チャネルは周波数ドメインにおいて連続している。チャネル環境の中で、比較的多数の信号経路が生じる場合、伝送される制御情報は、周波数ダイバーシティ・ゲインを容易には獲得しない。更に、５Ｇシステムでは、ブロードキャスト情報はもはやシステム帯域幅情報を含まない。従って、ユーザーは制御チャネルの時間−周波数リソースを獲得することができない。かくてユーザーはインバウンド帯域幅情報を得ることはできない。
【００６２】
上記の問題を解決するために、本願の実施形態は情報送信方法を提供し、同期信号ブロックのコンフィギュレーション情報が、制御チャネルの時間−周波数リソースを端末デバイスに通知するために使用され得る。更に、隣接セルに対して比較的低い干渉が保証される場合、可能な限り多くの周波数ダイバーシティ・ゲインが得られる。
【００６３】
図３は本願における情報送信方法及び装置に適用可能な通信システムの概略図である。図３に示されるように、通信システム１００はネットワーク・デバイス１０２を含む。ネットワーク・デバイス１０２は、複数のアンテナ、例えばアンテナ１０４，１０６，１０８，１１０，１１２，及び１１４等の複数のアンテナを含むことができる。更に、ネットワーク・デバイス１０２は送信機チェーンと受信機チェーンとを追加的に含むことができる。送信機チェーン及び受信機チェーンは、信号の送受信に関連する複数のコンポーネント（例えば、プロセッサ、変調器、マルチプレクサ、エンコーダ、デマルチプレクサ、又はアンテナ）を含み得ることを当業者は理解することができる。
【００６４】
ネットワーク・デバイス１０２は複数の端末デバイス（例えば、端末デバイス１１６及び端末デバイス１２２）と通信することができる。しかしながら、  ネットワーク・デバイス１０２は、端末デバイス１１６又は端末デバイス１２２に類似する任意の台数の端末デバイスと通信してよいことが理解され得る。端末デバイス１１６及び１２２は、例えば、セルラ電話、スマート・フォン、ポータブル・コンピュータ、携帯通信デバイス、携帯コンピューティング・デバイス、衛星無線装置、グローバル・ポジショニング・システム、ＰＤＡ、及び／又はワイヤレス通信システム１００で通信を実行するように構成される適切な他の任意のデバイスであってもよい。
【００６５】
図３に示されるように、端末デバイス１１６はアンテナ１１２及び１１４と通信する。アンテナ１１２及び１１４は、フォワード・リンク１１８により端末デバイス１１６へ情報を送信し、リバース・リンク１２０により端末デバイス１１６から情報を受信する。更に、端末デバイス１２２はアンテナ１０４及び１０６と通信する。アンテナ１０４及び１０６は、フォワード・リンク１２４により端末デバイス１２２へ情報を送信し、リバース・リンク１２６により端末デバイス１２２から情報を受信する。
【００６６】
例えば、ＦＤＤシステムにおいて、フォワード・リンク１１８及びリバース・リンク１２０は異なる周波数バンドを利用することができ、フォワード・リンク１２４及びリバース・リンク１２６は異なる周波数バンドを利用することができる。
【００６７】
別の例に関し、ＴＤＤシステム及び全二重（ｆｕｌｌ  ｄｕｐｌｅｘ）システムでは、フォワード・リンク１１８及びリバース・リンク１２０は同じ周波数バンドを利用することができ、フォワード・リンク１２４及びリバース・リンク１２６は同じ周波数バンドを利用することができる。
【００６８】
各アンテナ（又は複数のアンテナを含むアンテナ・グループ）及び／又は通信のために設計されているエリアは、ネットワーク・デバイス１０２のセクタとして言及される。例えば、アンテナ・グループは、ネットワーク・デバイス１０２のカバレッジ・エリア内のセクタの中で端末デバイスと通信するように設計され得る。ネットワーク・デバイス１０２は、フォワード・リンク１１８及び１２４により端末デバイス１１６及び１２２と個々に通信する場合に、ネットワーク・デバイス１０２の送信アンテナは、ビームフォーミングによりフォワード・リンク１１８及び１２４の信号対雑音比を増加させることができる。更に、ネットワーク・デバイス１０２が、関連するカバレッジ・エリア内にランダムに分散する端末デバイス１１６及び１２２へ、ビームフォーミングにより信号を送信する場合、隣接セル内のモバイル・デバイスへの干渉は、ネットワーク・デバイスが、ネットワーク・デバイスに属する全ての端末デバイスへ、信号を単独アンテナにより送信する場合に生じる干渉よりも小さい。
【００６９】
所与の時間の中で、ネットワーク・デバイス１０２、端末デバイス１１６、又は端末デバイス１２２は、ワイヤレス通信送信装置、及び／又はワイヤレス通信受信装置であってもよい。データを送信する場合に、ワイヤレス通信送信装置は送信のためにデータをエンコードすることができる。具体的には、ワイヤレス通信送信装置は、チャネルを通じてワイヤレス通信受信装置へ送信されることを要する特定数のデータ・ビットを得ることができる（例えば、生成する、別の通信装置から受信する、又はメモリに保存することができる）。データ・ビットは、データのトランスポート・ブロック（又は複数のトランスポート・ブロック）に含まれていてもよいし、トランスポート・ブロックは複数のコード・ブロックを生成するためにセグメント化されてもよい。
【００７０】
更に、通信システム１００は、ＰＬＭＮネットワーク、Ｄ２Ｄネットワーク、Ｍ２Ｍネットワーク、又は別のネットワークであってもよい。図３は具体例である簡略化された単なる概略図であるに過ぎない。ネットワークは、図３に示されていない別のネットワーク・デバイスを更に含み得る。
【００７１】
図４を参照し、以下、本願で提供される情報送信方法を詳細に説明する。図４は本願の実施形態による情報送信方法２００の概略フローチャートである。方法２００は図３に示される状況に適用されてもよく、別の通信状況にも確かに適用され得る。これは本願の実施形態で限定されない。
【００７２】
図４に示されるように、方法２００は以下のステップを含む。
【００７３】
Ｓ２１０。端末デバイスは、制御チャネル・リソース・セットのコンフィギュレーション情報を受信し、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む。
【００７４】
Ｓ２２０。端末デバイスは、コンフィギュレーション情報に基づいて制御チャネルの時間−周波数リソースを決定する。
【００７５】
Ｓ２３０。端末デバイスは、制御チャネルの時間−周波数リソースにおける制御情報を受信する。
【００７６】
具体的には、Ｓ２１０において、端末デバイスがシステムに最初にアクセスする場合に、先ず端末デバイスは制御チャネルの時間−周波数リソースを決定する。制御チャネルの時間−周波数リソースを決定した後に、端末デバイスは、制御チャネルの時間−周波数リソースにおいて制御情報を受信する。制御チャネルは、制御情報又は同期データを送信するために主に使用され、共通探索空間ＣＳＳ及び端末−デバイス−固有探索空間のうちの１つ以上を主に含む。共通探索空間は、端末デバイスがサービング・セルの中でブロードキャスト制御情報又は端末−デバイス−固有制御情報を受信する時間−周波数リソースであり、ブロードキャスト制御情報は、ページング情報をスケジューリングするための制御情報と、ランダム・アクセス応答情報を示すための制御情報とのうちの少なくとも１つのタイプの制御情報を含む。同期信号ブロックはブロードキャスト制御情報と同期信号とを含み、ブロードキャスト情報は制御チャネル・リソース・セットのコンフィギュレーション情報を含み、同期信号はセル識別子を運ぶ。端末デバイスは、ネットワーク・デバイスから送信され且つ制御チャネル・リソース・セットについてのコンフィギュレーション情報を受信する。コンフィギュレーション情報は、制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む。例えば、コンフィギュレーション情報が、制御チャネルの時間−周波数リソース・ブロックの量を含む場合、２つの隣接する時間−周波数リソース・ブロックの間のインターバルは、システムで予め定義されることが可能であり、あるいはコンフィギュレーション情報が制御チャネルの２つの隣接する時間−周波数リソース・ブロックの間のインターバルを含む場合、制御チャネルの時間−周波数リソース・ブロックの量は、システムで予め定義されることが可能である。制御チャネルの時間−周波数リソースは不連続的であり、複数の時間−周波数リソース・ブロックを含み、複数の時間−周波数リソース・ブロックの間にインターバルが存在する。例えば、複数の時間−周波数リソース・ブロックは、周波数ドメインにおける特定のインターバル、又は時間ドメインにおける特定のインターバルを含むことができる。
【００７７】
Ｓ２２０において、端末デバイスは、コンフィギュレーション情報に基づいて制御チャネルの時間−周波数リソースを決定する。具体的には、端末デバイスは、時間−周波数リソース・ブロックの量と２つの隣接する時間−周波数リソース・ブロックの間のインターバルの情報とに基づいて、制御チャネルの時間−周波数リソースを決定する。
【００７８】
Ｓ２３０において、制御チャネルの時間−周波数リソースを決定した後に、端末デバイスは、制御チャネルの時間−周波数リソースで制御情報を受信し、受信した制御情報に基づいて、アクセスされるべきセルとセルの帯域幅とを決定し、以後ネットワーク・デバイスと通信する。
【００７９】
制御チャネル・リソース・セットのコンフィギュレーション情報は、制御チャネルの時間−周波数リソース・ブロックの量と、２つの隣接する時間−周波数リソース・ブロックの間のインターバルとを含むだけでなく、制御チャネル・リソース・セットに関連する他の情報又は内容をも含むことを理解すべきである。これは本願のこの実施形態で限定されない。
【００８０】
制御チャネル・リソース・セットのコンフィギュレーション情報は、例えば制御チャネルの周波数ドメイン・レンジに関する情報などの制御チャネル・リソース・セットの他の情報を更に含み得ることを、更に理解すべきである。これは本願のこの実施形態で限定されない。
【００８１】
時間−周波数リソース・ブロックは、任意の粒度を有するものであってプロトコルで指定される時間−周波数リソース・ブロック、例えばＰＲＢが１単位として使用される時間−周波数リソース・ブロックであってよいこともまた理解されるべきである。これは本願のこの実施形態で限定されない。
【００８２】
本願のこの実施形態で提供される情報送信方法では、制御チャネル・リソース・セットのコンフィギュレーション情報は、制御チャネルの時間−周波数リソースを示すために使用される。制御チャネルの時間−周波数リソースは、不連続的であり、複数の時間−周波数リソース・ブロックを含み、複数の時間−周波数リソース・ブロックの間にインターバルが存在する。従って、チャネル環境の中で比較的多数の信号経路が生じたとしても、端末デバイスは、制御チャネルで制御情報を受信する場合に、より良い周波数ダイバーシティ・ゲインを獲得し、伝送効率を向上させることができる。
【００８３】
選択的に、実施形態では、時間−周波数リソース・ブロックは少なくとも１つのリソース・エレメント・グループＲＥＧセットを含み、ＲＥＧセットは、時間ドメイン又は周波数ドメインで連続する又は隣接する複数のＲＥＧを含む。
【００８４】
チャネル推定精度を向上させるため、時間ドメイン又は周波数ドメインで連続する複数のＲＥＧは、１つのＲＥＧセットを構成してもよいし、あるいは時間ドメイン又は周波数ドメインで連続する複数のＲＥＧは、１つのＲＥＧバンドル（ｂｕｎｄｌｅ）を構成するように一緒に束に（バンドリング）されてもよい。ＲＥＧセットはＲＥＧバンドル（ｂｕｎｄｌｅ）と言及されてもよいし、あるいはＲＥＧグループ（ｇｒｏｕｐ）として言及されてもよい。ＲＥＧセットの具体的な名称は本願で限定されない。物理ダウンリンク制御チャネル（ｐｈｙｓｉｃａｌ  ｄｏｗｎｌｉｎｋ  ｃｏｎｔｒｏｌ  ｃｈａｎｎｅｌ，ＰＤＣＣＨ）はＣＣＥを利用することによりＲＥＧにマッピングされるので、各々のＣＣＥに対応する複数のＲＥＧは、１つ以上のＲＥＧセットを構成するように一緒に束にされる。各々のＲＥＧセットに関し、端末デバイスは、単独のＲＥＧではなく、ＲＥＧセットで利用可能な復調リファレンス信号（ｄｅｍｏｄｕｌａｔｉｏｎ  ｒｅｆｅｒｅｎｃｅ  ｓｉｇｎａｌ，ＤＭＲＳ）を利用することにより、ジョイント・チャネル推定を実行することができ、それによりチャネル推定精度を向上させる。図５及び図６は本願の実施形態によるＲＥＧの概略図である。図５において、ＲＥＧは１２個のＲＥｓを含む。２個のＲＥｓがＤＭＲＳに使用され、１０個のＲＥｓがダウンリンク制御情報（ｄｏｗｎｌｉｎｋ  ｃｏｎｔｒｏｌ  ｉｎｆｏｒｍａｔｉｏｎ，ＤＣＩ）に使用される。図６では、４個のＲＥｓがＤＭＲＳに使用され、６個のＲＥｓがＤＣＩに使用される。
【００８５】
時間−周波数リソース・ブロックは少なくとも１つのＲＥＧセットを含み、各ＲＥＧセットは、時間ドメイン又は周波数ドメインで連続する又は隣接する複数のＲＥＧを含む。周波数ドメインで連続するＲＥＧは、ＲＥＧ番号が周波数ドメインで連続していることを意味する。具体的には、２つの隣接するＲＥＧの間にサブキャリア間隔は存在せず、２つの隣接するＲＥＧのサブキャリアは連続しており、２つの隣接するＲＥＧの間にアイドル周波数ドメイン・パートは存在しない。時間ドメインで連続するＲＥＧは、ＲＥＧ番号が時間ドメインで連続していることを意味する。具体的には、２つの隣接するＲＥＧの間にＯＦＤＭシンボル間隔は存在せず、２つの隣接するＲＥＧのＯＦＤＭシンボルは連続している。周波数ドメインで隣接するＲＥＧは、ＲＥＧ番号が周波数ドメインで不連続的であることを意味する。具体的には、２つの隣接するＲＥＧの間にサブキャリア間隔が存在し、サブキャリア間隔は、別の端末デバイスと通信するため又は他のシグナリングを送信するために使用されることが可能であり、２つの隣接するＲＥＧのサブキャリアは不連続的である。時間ドメインで隣接するＲＥＧは、ＲＥＧ番号が時間ドメインで不連続的であることを意味する。具体的には、２つの隣接するＲＥＧの間にＯＦＤＭシンボル間隔が存在し、２つの隣接するＲＥＧのＯＦＤＭシンボルは不連続的である。
【００８６】
図７は本願の実施形態によるＲＥＧセットの概略図である。図７においてＲＥＧセットは４個の異なるフォーマットを有し得る。フォーマット１のＲＥＧセットは１個のＲＥＧを含み、フォーマット２のＲＥＧセットは周波数ドメインで連続する２個のＲＥＧを含み、フォーマット３のＲＥＧセットは周波数ドメインで連続する３個のＲＥＧを含み、フォーマット４のＲＥＧセットは周波数ドメインで連続する６個のＲＥＧを含む。
【００８７】
図８は本願の別の実施形態によるＲＥＧセットの概略図である。ＲＥＧセットは２個の異なるフォーマットを有し得る。フォーマット５のＲＥＧセットは時間ドメインで連続する２個のＲＥＧを含む。フォーマット６のＲＥＧセットは、０，１，２の番号が付された３個のＲＥＧが周波数ドメインで連続し、７，８，９の番号が付された３個のＲＥＧが周波数ドメインで連続し、０，７の番号が付されたＲＥＧが時間ドメインで連続し、１，８の番号が付されたＲＥＧが時間ドメインで連続し、２，９の番号が付されたＲＥＧが時間ドメインで連続している６個のＲＥＧを含む。
【００８８】
図９は本願の別の実施形態によるＲＥＧセットの概略図である。ＲＥＧセットは２個の異なるフォーマットを有し得る。フォーマット７のＲＥＧセットは時間ドメインで連続する３個のＲＥＧを含む。フォーマット８のＲＥＧセットは、１０，１１，１２の番号が付された３個のＲＥＧが時間ドメインで連続し、１３，１４，１５の番号が付された３個のＲＥＧが時間ドメインで連続し、１０，１３の番号が付されたＲＥＧが周波数ドメインで連続している６個のＲＥＧを含む。
【００８９】
周波数ドメイン又は時間ドメインで連続する又は隣接するＲＥＧの量は、ＲＥＧセットのフォーマットに基づいて取得され得ることが理解されるべきである。
【００９０】
ＲＥＧのバンドリング・サイズ又はＲＥＧのバンドリング・フォーマットは、制御リソース・セット又は探索空間に基づいて予め定義されることが可能であり、従って端末デバイス及びネットワーク・デバイス双方にとって共通に知られている。代替的に、ネットワーク・デバイスは、端末デバイスに、ＲＥＧのバンドリング・サイズ又はＲＥＧのバンドリング・フォーマットを、シグナリングにより、例えば無線リソース制御（ｒａｄｉｏ  ｒｅｓｏｕｒｃｅ  ｃｏｎｔｒｏｌ，ＲＲＣ）シグナリング等の上位レイヤ・シグナリングにより、通知してもよい。例えば、端末デバイスは、探索空間又は制御リソース・セットのコンフィギュレーション情報に基づいて通知されてもよい。
【００９１】
選択的に、実施形態では、少なくとも１つのＲＥＧセットのうちの任意の１つが以下の条件のうちの少なくとも１つを満たす：ｍが正の整数であり、周波数ドメインで連続する又は隣接するｍ個のＰＲＢｓ；又はｎが正の整数であり、時間ドメインで連続する又は隣接するｎ個のシンボル。
【００９２】
例えば、ｍは１，２，３，６，１２等であってもよく、２，４，６，８又は１６であってもよく、ｎは１，２，３等であってもよい。
【００９３】
本願での周波数ドメインにおける隣接性は、制御リソース・セット内で構成される複数のＲＢｓは、周波数ドメインで不連続的であるかもしれないが、ＲＢｓが周波数ドメインで昇順に又は降順にソートされた後に、ＲＢｓのインデックスは連続的であり得ることを意味することに留意すべきである。本願での時間ドメインにおける隣接性は、制御リソース・セット内で構成される複数のＲＢｓは、時間ドメインで不連続的であるかもしれないが、ＲＢｓが時間ドメインで昇順に又は降順にソートされた後に、ＲＢｓのインデックスは連続的であり得ることを意味する。
【００９４】
時間−周波数リソース・ブロックは少なくとも１つのＲＥＧセットを含む。例えば、制御チャネルは周波数ドメインにおいて複数のＲＥＧセットを含み、複数のＲＥＧセットにおける２個の隣接するＲＥＧセットの間にインターバルが存在し、インターバルは少なくとも１つの非ゼロ値を含む。具体的には、セルに関し、制御チャネルは周波数ドメインにおいて不連続的であり、制御チャネルの時間−周波数リソースを構成する複数のＲＥＧセットの間にインターバルが存在する。インターバルの値は、予め決定されていてもよいし、あるいは様々な状況に基づく様々な値として設定されてもよい。インターバルの値は少なくとも１つの非ゼロ値を含む。インターバルの値がゼロである場合、制御チャネルの時間−周波数リソースは周波数ドメインにおいて連続的であることと同等である。インターバルは複数の値を有することが可能であり、インターバルの複数の値は同一又は相違していてもよい。
【００９５】
以下、本願の実施形態における情報送信方法を図１０を参照しながら詳細に説明する。図１０は本願の実施形態による制御チャネル・リソース・セットの概略図である。図５に示されるように、制御チャネル・リソース・セットは時間ドメインにおいて唯１つのＯＦＤＭシンボルを含み、周波数ドメイン全体で４８個のＲＥＧ、具体的には０ないし４７の番号が付されたＲＥＧを占有している。しかしながら、制御チャネルは周波数ドメインにおいて不連続的である。制御チャネルは周波数ドメインにおいて全部で４個のＲＥＧセットを含み、２つの隣接するＲＥＧセットの間にインターバルが存在し、具体的には４個のインターバルが存在する。各々のインターバルは６個のＲＥＧを含む。各々のＲＥＧセットはまた、周波数ドメインにおいて連続する６個のＲＥＧを含み、具体的には端末デバイスは周波数ドメインにおける４個のＲＥＧセットの中で制御情報を受信する。
【００９６】
図１０に示されるように、周波数ドメインにおける制御チャネルの概略図は本願のこの実施形態の単なる具体例であるに過ぎず、本願のこの実施形態に関する何らかの限定として解釈されるべきでないことが理解されるべきである。例えば、制御チャネルは周波数ドメイン全体の中で別の量のＲＥＧを占有してもよく、制御チャネルは周波数ドメインにおいて別の量のＲＥＧセットを含んでもよく、複数のインターバルは相違してもよい。インターバルは、周波数ドメインにおけるＲＥＧセットより大きくてもよいし、等しくてもよいし、又は小さくてもよい。これは本願のこの実施形態で限定されない。
【００９７】
周波数ドメインにおいて制御チャネルにより占有される周波数ドメイン・リソースの単位は、ＲＥＧセット又はＲＥＧであることが、更に理解されるべきである。本願のこの実施形態では、周波数ドメインにおいて制御チャネルにより占有される周波数ドメイン・リソースの単位は、代替的に、ＰＲＢ、ＰＲＢセット、ＣＣＥ等であってもよい。これは本願のこの実施形態で限定されない。
【００９８】
選択的に、実施形態において、ＲＥＧセットはＮ個のＲＥＧを含み、ここで、Ｎの値は１，２，３、及び、２又は３の正の整数倍のうちの任意の１つである。
【００９９】
具体的には、ＲＥＧセットはＲＥＧを含み、ＲＥＧは、時間ドメインにおける１個のＯＦＤＭシンボルと、周波数ドメインで連続する１２個のサブキャリアとを含む。ＲＥＧセットはＮ個のＲＥＧを含むことが可能であり、Ｎの値は、１，２，３、及び、２又は３の正の整数倍のうちの任意の１つである。具体的には、ＲＥＧセットは、２個のＲＥＧ、３個のＲＥＧ、６個のＲＥＧ等を含むことが可能であり、ただし、ＲＥＧセットを構成するＲＥＧの量は、１，２，３、又は、２又は３の正の整数倍であるものとする。
【０１００】
ＲＥＧセットは別の量のＲＥＧを含んでもよいことが理解されるべきである。これは本願のこの実施形態では限定されない。
【０１０１】
選択的に、実施形態において、隣接する時間−周波数リソース・ブロックは、周波数ドメインにおいて、整数個のＲＥＧに対応する周波数ドメイン・リソース、又は整数個のＲＥＧセットに対応する周波数ドメイン・リソースを含む。
【０１０２】
具体的には、隣接する時間−周波数リソース・ブロック間の周波数ドメイン・インターバルの粒度はＲＥＧであってもよく、具体的には、周波数ドメイン・インターバルは、整数個のＲＥＧに対応する周波数ドメイン・リソースを含んでもよい。例えば、周波数ドメイン・インターバルは、５個のＲＥＧに対応する周波数ドメイン・リソースを含む。周波数ドメイン・インターバルは複数の異なる値を含むので、周波数ドメイン・インターバルは異なる周波数ドメイン・リソースに対応することができる。周波数ドメイン・インターバルは、周波数ドメインにおける１つより多い、１つに等しい又は１つより少ないＲＥＧセットであってもよい。
【０１０３】
周波数ドメイン・インターバルの粒度は、代替的に、ＰＲＢ又は他の周波数ドメイン・ユニットで占有される周波数ドメイン・サイズであってもよいことが、理解されるべきである。これは本願のこの実施形態では限定されない。
【０１０４】
選択的に、実施形態において、隣接する時間−周波数リソース・ブロック間のインターバルは、周波数ドメインにおいて、整数個のＲＥＧセットに対応する周波数ドメイン・リソースを含む。
【０１０５】
具体的には、隣接する時間−周波数リソース・ブロック間の周波数ドメイン・インターバルの粒度はＲＥＧセットであってもよく、具体的には、周波数ドメイン・インターバルは、整数個のＲＥＧセットに対応する周波数ドメイン・リソースを含んでもよい。例えば、周波数ドメイン・インターバルは、５個のＲＥＧセットに対応する周波数ドメイン・リソースである。周波数ドメイン・インターバルが１個のＲＥＧセットに対応する周波数ドメイン・リソースである場合、周波数ドメイン・インターバルは、図５の制御チャネル・リソースに示されているように、周波数ドメインにおけるＲＥＧセットと同じである。
【０１０６】
周波数ドメイン・インターバルの粒度は、代替的に、ＰＲＢセット、又は他の周波数ドメイン・ユニット・セットであってもよいことが理解されるべきである。これは本願のこの実施形態では限定されない。
【０１０７】
選択的に、実施形態において、端末デバイスは、隣接する時間−周波数リソース・ブロック間のインターバル、及び／又は少なくとも１つのＲＥＧセットに基づいて端末デバイスのインバウンド帯域幅情報を決定する。
【０１０８】
具体的には、端末デバイスがシステムにアクセスする帯域幅に関する情報は、制御チャネルの周波数ドメイン・リソースを利用することにより決定されることが可能である。制御チャネルは周波数ドメインにおけるインターバルを有するので、情報は、インターバルと少なくとも１つの時間−周波数リソース・ブロックとを利用することにより決定され得る。図１０に示されるような周波数ドメインにおける制御チャネルの概略図が説明の具体例として使用される。図１０において、２つの隣接する時間−周波数リソース・ブロック間のインターバルは６個のＲＥＧであり、言い換えれば、インターバルは６個のＲＥＧに対応する周波数ドメインである。４個の時間−周波数リソース・ブロックにおいて、各々の時間−周波数リソース・ブロックは１１個のＲＥＧを含む。言い換えれば、４個のインターバルと４個の時間−周波数リソース・ブロックとが存在する。従って、端末デバイスのインバウンド・帯域幅は、４×６＋４×６＝４８であり、具体的には、端末デバイスがシステムにアクセスする帯域幅は、４８個のＲＥＧに対応する帯域幅値である。
【０１０９】
代替的に、端末デバイスは、端末デバイスがシステムにアクセスする帯域幅に関する情報を、インターバルに基づいて決定する。例えば、端末デバイスは、インターバルに対応する周波数ドメイン・リソースのＫ倍が、端末デバイスがシステムにアクセスする帯域幅であることを、事前の定義に基づいて決定する。別の例に関し、端末デバイスは、インターバルに対応する周波数ドメイン・リソースに関連する方程式に従って、端末デバイスがシステムにアクセスする帯域幅に関する情報を決定することができる。これは本願のこの実施形態で限定されない。同様に、端末デバイスが、少なくとも１つの時間−周波数リソース・ブロックに基づいて、端末デバイスがシステムにアクセスする帯域幅に関する情報を決定する場合、端末デバイスは、少なくとも１つの時間−周波数リソース・ブロックに対応する周波数ドメイン・リソースのＫ倍が、端末デバイスがシステムにアクセスする帯域幅であることを、事前の定義に基づいて決定してもよい。別の例に関し、端末デバイスは、少なくとも１つの時間−周波数リソース・ブロックに対応する周波数ドメイン・リソースに関連する方程式に従って、端末デバイスがシステムにアクセスする帯域幅に関する情報を決定することができる。これは本願のこの実施形態で限定されない。
【０１１０】
選択的に、実施形態において、同期信号ブロックの周波数ドメイン中心位置からリソース・セットの周波数ドメイン中心位置までのオフセットは事前に決定され、あるいはコンフィギュレーション情報により示され；及び同期信号ブロックはコンフィギュレーション情報を含む。
【０１１１】
具体的には、異なるセルの制御チャネルは周波数ドメインにおいて部分的にオーバーラップし得るので、具体的には、異なるセルの制御チャネルは周波数ドメインにおいてオーバーラップする部分を有し得る。従って、異なるセルは、各自の制御チャネルの制御情報を受信する場合に、隣接するセルにより容易く干渉を被る。本願のこの実施形態では、各々のセルの制御チャネルの周波数ドメイン中心位置は、ブロードキャスト情報の周波数ドメイン中心位置に対してオフセットを有し、異なるセルは異なるオフセットを有する。具体的には、リソース・セットの周波数ドメイン中心位置は、同期信号ブロックの周波数ドメイン中心位置に対してオフセットを有し、オフセットはセル識別子に対応する。同期信号ブロックはブロードキャスト情報と同期信号とを含み、ブロードキャスト情報は制御チャネル・リソース・セットのコンフィギュレーション情報を含み、同期信号はセル識別子を運ぶ。具体的には、端末デバイスは、制御チャネルの時間−周波数リソースを決定するために、同期信号におけるセル識別子に基づくオフセットを決定する。セル識別子は、ネットワーク・デバイスにより送信される同期信号ブロックで運ばれる。同期信号ブロックの周波数ドメイン中心位置からリソース・セットの周波数ドメイン中心位置までのオフセットは、同期信号ブロックにおけるセル識別子に基づいて決定される。このようにして、異なるセルの制御チャネルはオーバーラップせず、あるいは周波数ドメインでより小さなオーバーラップ部分しか有しておらず、様々なセルで個々の制御チャネルにおいて制御情報が受信される場合に、様々なセルが隣接セルから被る干渉を減らす。オフセットは、システムで、具体的にはプロトコルで予め決定されていてもよく；あるいはコンフィギュレーション情報により示されてもよい。これは本願のこの実施形態で限定されない。
【０１１２】
選択的に、制御チャネル・リソース・セットの周波数ドメイン中心位置と同期信号ブロックの周波数ドメイン中心位置との間のオフセット量は、時間−周波数リソース・ブロックと２つの隣接する時間−周波数リソース・ブロック間のインターバルとに基づいて決定されてもよい。
【０１１３】
端末デバイスのインバウンド帯域幅は、時間−周波数リソース・ブロックと２つの隣接する時間−周波数リソース・ブロック間のインターバルとに基づいて決定され、制御チャネル・リソース・セットの周波数オフセット量は、インバウンド帯域幅に基づいて導出されてもよい。
【０１１４】
具体的には、実装可能な方法において、図１１に示されるように、セル１の制御チャネル・リソース・セットにより占有される帯域幅は２０ＭＨｚであり、４個の時間ドメイン・オフセットに対応する。セル２のインバウンド帯域幅は１０ＭＨｚであり、２個の時間ドメイン・オフセットに対応する。
【０１１５】
図１１は本願の実施形態による異なるセルの制御チャネル・リソース・セットの周波数ドメイン・オフセットの概略図である。図１１において、セル１の制御チャネル・リソース・セットにより占有される帯域幅は２０ＭＨｚであり、セル２の制御チャネル・リソース・セットは１０ＭＨｚである。セル１の制御チャネル・リソース・セットとセル２の制御チャネル・リソース・セットとは周波数ドメインで不連続的である。セル１の制御チャネル・リソース・セットの周波数ドメインの中心とセル２の制御チャネル・リソース・セットの周波数ドメインの中心とは、同期信号ブロックの周波数ドメイン中心位置に対して異なるオフセットを有する。セル１の制御チャネル・リソース・セットの周波数ドメイン中心についての、同期信号ブロックの周波数ドメイン中心位置に対するオフセットは、周波数ドメインにおいて左側にＲＥＧセット１つ分である。セル２の制御チャネル・リソース・セットの周波数ドメイン中心についての、同期信号ブロックの周波数ドメイン中心位置に対するオフセットは、周波数ドメインにおいて右側にＲＥＧセット１つ分である。オフセットの後に、セル１の制御チャネル・リソース・セットとセル２の制御チャネル・リソース・セットとは、小さなオーバーラップ部分しか有しておらず、あるいは周波数ドメインでオーバーラップしない。これは、様々なセルで個々の制御リソース・セットで制御情報が受信される場合に、様々なセルが隣接セルから被る干渉を減らすことができる。
【０１１６】
図１２は本願の別の実施形態による異なるセルの制御チャネル・リソース・セットの周波数ドメイン・オフセットの概略図である。図１２において、セル１の制御チャネル・リソース・セットはまた、周波数ドメインで不連続的であり、インターバルを有する。従って、セル２は、セル１の制御チャネル・リソース・セットの周波数ドメイン・インターバル部分で制御情報を受信するように構成されてもよく、具体的には、セル１の制御チャネル・リソース・セットの周波数ドメイン・インターバル部分は、セル２の制御チャネル・リソース・セットの周波数ドメイン部分である。このようにして、セル１の制御チャネル・リソース・セットとセル２の制御チャネル・リソース・セットとは周波数ドメインでオーバーラップせず、制御情報が様々なセルで個々の制御チャネル・リソース・セットで受信される場合に、様々なセルが隣接セルから被る干渉を減らす。
【０１１７】
図１１及び図１２は、異なるセルの制御チャネルが周波数ドメインでオーバーラップしないことを図示するために、２つのセルの制御チャネル・リソース・セットが周波数ドメインでオーバーラップしない具体例を示していることが、理解されるべきである。しかしながら、本願のこの実施形態はそれらに限定されない。例えば、より多くのセルの制御チャネルが周波数ドメインでオーバーラップしないことが可能であり、具体的には、ブロードキャスト情報の周波数ドメイン中心位置に対して異なるオフセットが存在する。これは本願のこの実施形態で限定されない。
【０１１８】
本願のこの実施形態で提供される情報送信方法において、セルの制御チャネルは、周波数ドメイン全体で不連続的であり、周波数ドメイン・インターバルを有する。端末デバイスは、このフォーマットの制御チャネルから制御情報を受信し、より良い周波数ダイバーシティ・ゲインを取得して伝送効率を改善することができる。しかしながら、異なるセルの制御チャネルの周波数ドメイン中心位置は、制御チャネル・リソース・セットの周波数ドメイン中心位置に対して異なるオフセットを有し、具体的には、様々なセルの制御チャネルは周波数ドメインでオーバーラップせず、制御情報が様々なセルで各自の制御チャネルで受信される場合に、様々なセルが隣接するセルから被る干渉を減らす。更に、制御チャネル・リソース・セットの制御情報は制御チャネルの時間−周波数リソースを示すために使用され、具体的には、制御チャネルの周波数ドメイン・リソースを決定し、制御チャネルの時間−周波数リソースが５Ｇでは指定できない問題を解決する。
【０１１９】
時間−周波数リソース・ブロックの量と２つの時間−周波数リソース・ブロック間のインターバルとのうちの少なくとも１つは予め決定されることが理解されるべきである。
【０１２０】
具体的には、制御チャネルに含まれる時間−周波数リソース・ブロックの量はプロトコルで予め定義されていてもよい。制御チャネルに含まれる時間−周波数リソース・ブロックの量がプロトコルで予め定義される場合、端末デバイスは、シグナリングによりその量を通知されなくてもよい。従ってシグナリング・オーバーヘッドが削減され得る。代替的に、制御チャネルに含まれる時間−周波数リソース・ブロックの量は、ネットワーク・デバイスにより設定されてもよい。時間−周波数リソース・ブロックの量がネットワーク・デバイスによって設定される場合、時間−周波数リソース・ブロックの様々な量が設定されてもよく、コンフィギュレーション情報は、時間−周波数リソース・ブロックの具体的な量を端末デバイスに通知するために使用される。これは、リソース設定の柔軟性を提供し、スペクトルの利用性を改善する。
【０１２１】
同様に、２つの隣接する時間−周波数リソース・ブロックの間のインターバルがプロトコルで予め定義されていてもよく、あるいはネットワーク・デバイスにより設定され、コンフィギュレーション情報を利用することで端末デバイスに通知されてもよい。これは本願のこの実施形態で限定されない。
【０１２２】
時間−周波数リソース・ブロックに含まれるＲＥＧセットの量と、ＲＥＧセットに含まれるＲＥＧの量とのうちの少なくとも１つが予め定義され、あるいはコンフィギュレーション情報により示されることが、理解されるべきである。
【０１２３】
具体的には、時間−周波数リソース・ブロックに含まれるＲＥＧセットの量は、プロトコルで予め定義されてもよく、あるいはネットワーク・デバイスにより設定され、コンフィギュレーション情報を利用することにより端末デバイスに通知されてもよい。ＲＥＧセットに含まれるＲＥＧの量もまたプロトコルで予め定義されてもよく、あるいはネットワーク・デバイスにより設定され、コンフィギュレーション情報を利用することにより端末デバイスに通知されてもよい。これは本願のこの実施形態で限定されない。
【０１２４】
本願の実施形態は情報送信方法３００を更に提供する。方法３００はネットワーク・デバイスにより実行されてもよい。図１３は本願の実施形態による情報送信方法３００の概略フローチャートである。図１３に示されるように、方法３００は以下のステップを含む。
【０１２５】
Ｓ３１０。ネットワーク・デバイスは、制御チャネル・リソース・セットのコンフィギュレーション情報を生成し、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む。
【０１２６】
Ｓ３２０。ネットワーク・デバイスはコンフィギュレーション情報を送信する。
【０１２７】
具体的には、端末デバイスがシステムに最初にアクセスすると、ネットワーク・デバイスは、制御チャネルの時間−周波数リソースを端末デバイスに通知し、端末デバイスは時間−周波数リソースで制御情報を受信する。制御情報はシグナリング又は同期データを送信するために主に使用される。５Ｇシステムにおいて、ブロードキャスト情報はもはやシステム帯域幅情報を含まない。従って、Ｓ３１０において、ネットワーク・デバイスは制御チャネル・リソース・セットのコンフィギュレーション情報を生成し、コンフィギュレーション情報は制御チャネル・リソース・セットを示すために使用される。制御チャネルは共通探索空間ＣＳＳと、ブロードキャスト・チャネルと、個別制御チャネルとを含む。コンフィギュレーション情報は、制御チャネルの時間−周波数リソース・ブロックの量と、２つの隣接する時間−周波数リソース・ブロック間のインターバルとのうちの少なくとも１つを含む。例えば、コンフィギュレーション情報が制御チャネルの時間−周波数リソース・ブロックの量を含む場合、２つの隣接する時間−周波数リソース・ブロックの間のインターバルはシステムにより予め決定されていてもよい。コンフィギュレーション情報が、制御チャネルの２つの時間−周波数リソース・ブロック間のインターバルを含む場合、制御チャネルの時間−周波数リソース・ブロックの量はシステムにより予め決定されていてもよい。制御チャネルの時間−周波数リソースは、不連続的であり、複数の時間−周波数リソース・ブロックを含み、複数の時間−周波数リソース・ブロックの間にインターバルが存在する。例えば、複数の時間−周波数リソース・ブロックは、周波数ドメインにおける特定のインターバル、又は時間ドメインにおける特定のインターバルを含んでもよい。制御チャネル・リソース・セットのコンフィギュレーション情報を生成した後に、ネットワーク・デバイスはコンフィギュレーション情報を端末デバイスへ送信する。制御チャネルの時間−周波数リソースを決定した後に、端末デバイスは、制御チャネルの時間−周波数リソース・ブロックで制御情報を受信し、受信した制御情報に基づいて、アクセスすべきセルとセルの帯域幅とを決定し、以後ネットワーク・デバイスと通信する。
【０１２８】
本願のこの実施形態で提供される情報送信方法において、ネットワーク・デバイスは、制御チャネルの時間−周波数リソースを示すために制御チャネル・リソース・セットのコンフィギュレーション情報を使用し、制御チャネルの時間−周波数リソースは、不連続的であり、複数の時間−周波数リソース・ブロックを含み、複数の時間−周波数リソース・ブロックの間にインターバルが存在する。従って、チャネル環境の中で比較的多数の信号経路が生じたとしても、端末デバイスは、制御チャネルで制御情報を受信する場合に、より良い周波数ダイバーシティ・ゲインを獲得し、伝送効率を向上させることができる。
【０１２９】
選択的に、実施形態では、時間−周波数リソース・ブロックは少なくとも１つのリソース・エレメント・グループＲＥＧセットを含み、ＲＥＧセットは、時間ドメイン又は周波数ドメインで連続する又は隣接する複数のＲＥＧを含む。
【０１３０】
具体的には、時間−周波数リソース・ブロックは少なくとも１つのＲＥＧセットを含み、各々のＲＥＧセットは、時間ドメイン又は周波数ドメインで連続する又は隣接する複数のＲＥＧを含む。周波数ドメインで連続するＲＥＧは、ＲＥＧ番号が周波数ドメインで連続していることを意味する。具体的には、２つの隣接するＲＥＧの間にサブキャリア間隔は存在せず、２つの隣接するＲＥＧのサブキャリアは連続しており、２つの隣接するＲＥＧの間にアイドル周波数ドメイン部分は存在しない。時間ドメインで連続するＲＥＧは、ＲＥＧ番号が時間ドメインで連続していることを意味する。具体的には、２つの隣接するＲＥＧの間にＯＦＤＭシンボル間隔は存在せず、２つの隣接するＲＥＧのＯＦＤＭシンボルは連続しており、２つの隣接するＲＥＧの間にアイドル時間ドメイン部分は存在しない。周波数ドメインで隣接するＲＥＧは、ＲＥＧ番号が周波数ドメインで不連続的であることを意味する。具体的には、２つの隣接するＲＥＧの間にサブキャリア間隔が存在し、サブキャリア間隔は、他の端末デバイスと通信するため、又は他のシグナリングを送信するために使用されることが可能であり、２つの隣接するＲＥＧのサブキャリアは不連続的である。時間ドメインで隣接するＲＥＧは、ＲＥＧ番号が時間ドメインで不連続的であることを意味する。具体的には、２つの隣接するＲＥＧの間にＯＦＤＭシンボル間隔が存在し、２つの隣接するＲＥＧのＯＦＤＭシンボルは不連続的である。時間−周波数リソース・ブロックは少なくとも１つのリソース・エレメント・グループＲＥＧセットを含む。例えば、制御チャネルは、周波数ドメインにおいて複数のＲＥＧセットを含み、複数のＲＥＧセットにおける２つの隣接するＲＥＧセットの間にインターバルが存在し、インターバルは少なくとも１つの非ゼロ値を含む。具体的には、セルに関し、制御チャネルは周波数ドメインで不連続的であり、制御チャネルの時間−周波数リソースを構成する複数のＲＥＧセットの間にインターバルが存在する。インターバルの値はシステム・プロトコルに従って設定されてもよいし、あるいは様々な状況に基づく様々な値として設定されてもよい。インターバルの値は少なくとも１つの非ゼロ値を含む。インターバルの値がゼロである場合、それは、制御チャネルの時間−周波数リソースが周波数ドメインで連続的であることと同等である。インターバルは複数の値を有することが可能であり、インターバルの複数の値は同一又は相違していてもよい。
【０１３１】
時間−周波数リソース・ブロックは代替的に少なくとも１つのＰＲＢセットを含むことが可能であり、ＰＲＢセットは、時間ドメイン又は周波数ドメインで連続する又は隣接する複数のＰＲＢｓを含むことが、理解されるべきである。これは本願のこの実施形態で限定されない。
【０１３２】
選択的に、実施形態では、ＲＥＧセットはＮ個のＲＥＧを含み、ここでＮの値は１、２、３、及び、２又は３の正の整数倍のうちの任意の１つである。
【０１３３】
具体的には、ＲＥＧセットはＲＥＧを含み、ＲＥＧは、時間ドメインにおける１つのＯＦＤＭシンボルと、周波数ドメインにおいて連続する１２個のサブキャリアとを含む。ＲＥＧセットはＮ個のＲＥＧを含むことが可能であり、Ｎの値は、１、２、３、及び、２又は３の正の整数倍のうちの任意の１つである。具体的には、ＲＥＧセットは２個のＲＥＧ、３個のＲＥＧ、６個のＲＥＧ等を含むことが可能であり、ただし、ＲＥＧセットを構成するＲＥＧの量は、１、２、３、あるいは、２又は３の正の整数倍であるものとする。選択的に、実施形態において、隣接する時間−周波数リソース・ブロック間のインターバルは、周波数ドメインにおいて、整数個のＲＥＧに対応する周波数ドメイン・リソース、又は整数個のＲＥＧセットに対応する周波数ドメイン・リソースを含む。
【０１３４】
選択的に、実施形態において、隣接する時間−周波数リソース・ブロック間のインターバルは、周波数ドメインにおいて、整数個のＲＥＧに対応する周波数ドメイン・リソース、又は整数個のＲＥＧセットに対応する周波数ドメイン・リソースを含む。
【０１３５】
具体的には、隣接する時間−周波数リソース・ブロック間のインターバルの粒度はＲＥＧであってもよく、具体的には周波数ドメイン・インターバルは整数個のＲＥＧを含むことができる。例えば、周波数ドメイン・インターバルは、５個のＲＥＧに対応する周波数ドメイン・リソースである。周波数ドメイン・インターバルは複数の異なる値を含むので、周波数ドメイン・インターバルは、様々な周波数ドメイン・リソースに対応し得る。インターバルは、周波数ドメインにおける１個より多い、等しい又はより少ないＲＥＧセットであってもよい。
【０１３６】
周波数ドメイン・インターバルの粒度は、代替的に、ＰＲＢ又は他の周波数ドメイン・ユニットであってもよいことが、理解されるべきである。これは本願のこの実施形態で限定されない。
【０１３７】
選択的に、実施形態において、隣接する時間−周波数リソース・ブロック間のインターバルは、周波数ドメインにおいて、整数個のＲＥＧセットに対応する周波数ドメイン・リソースを含む。
【０１３８】
具体的には、隣接する時間−周波数リソース・ブロック間の周波数ドメイン・インターバルの粒度はＲＥＧセットであってもよく、具体的には、周波数ドメイン・インターバルは整数個のＲＥＧセットに対応する周波数ドメイン・リソースを含んでもよい。例えば、周波数ドメイン・インターバルは、５個のＲＥＧセットに対応する周波数ドメイン・リソースである。周波数ドメイン・インターバルが１個のＲＥＧセットに対応する周波数ドメイン・リソースである場合、インターバルは、図５の制御チャネル周波数ドメイン・リソースに示されるような周波数ドメインにおけるＲＥＧセットと同じである。
【０１３９】
周波数ドメイン・インターバルの粒度は、代替的に、ＰＲＢセット又は他の周波数ドメイン・ユニット・セットであってもよいことが理解されるべきである。これは本願のこの実施形態で限定されない。
【０１４０】
選択的に、実施形態において、リソース・セットの周波数ドメイン中心位置と同期信号ブロックの周波数ドメイン中心位置との間のオフセットは、予め決定されるか、あるいはコンフィギュレーション情報により通知され；及び同期信号ブロックはコンフィギュレーション情報を含む。
【０１４１】
具体的には、異なるセルの制御チャネルは周波数ドメインで部分的にオーバーラップし得るので、具体的には異なるセルの制御チャネルは周波数ドメインでオーバーラップする部分を有し得る。従って、様々なセルは、各自の制御チャネルで制御情報を受信する場合に、隣接するセルにより容易く干渉される。本願のこの実施形態では、各セルの制御チャネルの周波数ドメイン中心位置は、ブロードキャスト情報の周波数ドメイン中心位置に対してオフセットを有し、異なるセルは異なるオフセットを有する。具体的には、リソース・セットの周波数ドメイン中心位置は、同期信号ブロックの周波数ドメイン中心位置に対するオフセットを有し、オフセットはセル識別子に対応する。同期信号ブロックはブロードキャスト情報と同期信号とを含み、ブロードキャスト情報は制御チャネル・リソース・セットのコンフィギュレーション情報を含み、同期信号はセル識別子を運ぶ。具体的には、端末デバイスは、同期信号ブロック内のセル識別子に基づいてオフセットを決定する。同期信号ブロックの周波数ドメイン中心位置からリソース・セットの周波数ドメイン中心位置までのオフセットは、同期信号ブロックにおけるセル識別子に基づいて決定される。このように、異なるセルの制御チャネルは、オーバーラップせず、あるいは周波数ドメインで小さなオーバーラップ部分しか持たず、制御情報が様々なセルで各自の制御チャネルで受信される場合に、様々なセルが隣接セルから被る干渉を減らす。オフセットは、システムによって予め決定されていてもよく、具体的にはプロトコルで指定されていてもよく；あるいは、コンフィギュレーション情報により通知されてもよい。これは本願のこの実施形態で限定されない。
【０１４２】
時間−周波数リソース・ブロックの量と、２個の隣接する時間−周波数リソース・ブロック間のインターバルとのうちの少なくとも１つは予め決定されることが、理解されるべきである。
【０１４３】
具体的には、制御チャネルに含まれる時間−周波数リソース・ブロックの量はプロトコルで予め規定されていてもよい。制御チャネルに含まれる時間−周波数リソース・ブロックの量がプロトコルで予め規定される場合、端末デバイスはその量をシグナリングにより通知されなくてもよい。従ってシグナリング・オーバーヘッドが削減され得る。代替的に、制御チャネルに含まれる時間−周波数リソース・ブロックの量は、ネットワーク・デバイスにより設定されてもよい。時間−周波数リソース・ブロックの量がネットワーク・デバイスにより設定される場合、様々な量の時間−周波数リソース・ブロックを設定することが可能であり、時間−周波数リソース・ブロックの具体的な量を端末デバイスに通知するために、コンフィギュレーション情報が使用される。これは、リソース設定の柔軟性を提供し、スペクトル利用性を改善することができる。
【０１４４】
隣接する時間−周波数リソース・ブロック間のインターバルは、プロトコルで予め規定されてもよく、あるいはネットワーク・デバイスにより設定されてコンフィギュレーション情報を利用することにより端末デバイスに通知されてもよい。これは本願のこの実施形態で限定されない。
【０１４５】
時間−周波数リソース・ブロックに含まれるＲＥＧセットの量と、ＲＥＧセットに含まれるＲＥＧの量とのうちの少なくとも１つは予め決定されるか、あるいはコンフィギュレーション情報により通知されることが理解されるべきである。
【０１４６】
上記プロセスのシーケンス番号は、本願の実施形態における実行順序を意味しないことが、更に理解されるべきである。プロセスの実行順序は、プロセスの機能及び内部論理に基づいて決定されるべきであり、本願の実施形態の実装プロセスに関する何らかの限定として解釈されるべきでない。
【０１４７】
具体的には、時間−周波数リソース・ブロックに含まれるＲＥＧセットの量は、プロトコルで予め決定されてもよいし、あるいはネットワーク・デバイスにより設定されてコンフィギュレーション情報を利用することにより端末デバイスへ通知されてもよい。ＲＥＧセットに含まれるＲＥＧの量もまたプロトコルで予め決定されてもよいし、あるいはネットワーク・デバイスにより設定されてコンフィギュレーション情報を利用することにより端末デバイスへ通知されてもよい。これは本願のこの実施形態で限定されない。
【０１４８】
本願のこの実施形態で提供される情報送信方法において、セルの制御チャネルは周波数ドメイン全体の中で不連続的であり、周波数ドメイン・インターバルを有する。ネットワーク・デバイスは、このフォーマットの制御チャネルで制御情報を送信し、また、より良い周波数ダイバーシティ・ゲインを獲得し、伝送効率を向上させることができる。しかしながら、異なるセルの制御チャネルの周波数ドメイン中心位置は、制御チャネル・リソース・セットの周波数ドメイン中心位置に対する異なるオフセットを有し、具体的には、様々なセルの制御チャネルは周波数ドメインでオーバーラップせず、制御情報が様々なセルで各自の制御チャネルで受信される場合に、様々なセルが隣接セルから被る干渉を減らす。更に、制御チャネル・リソース・セットのコンフィギュレーション情報は、制御チャネルの時間−周波数リソースを示すために使用され、具体的には、制御チャネルの周波数ドメイン・リソースを決定し、制御チャネルの時間−周波数リソースを５Ｇで示すことができない問題を解決する。
【０１４９】
上記は図１ないし図１３に関連して詳細に本願の実施形態における情報送信方法を説明している。以下、図１４ないし図１７に関連して詳細に本願の実施形態における端末デバイス及びネットワーク・デバイスを説明する。
【０１５０】
図１４は本願の実施形態による端末デバイスの概略ブロック図である。端末デバイスの実施形態と方法の実施形態とは互いに対応することが理解されるべきである。同様な説明については、方法の実施形態を参照されたい。図１４に示される端末デバイス４００は、図４の端末デバイスに対応するステップを実行するように構成され得る。端末デバイス４００は、プロセッサ４１０と、メモリ４２０と、トランシーバ４３０とを含む。プロセッサ４１０と、メモリ４２０と、トランシーバ４３０とは接続されている。メモリ４２０は命令を格納する。プロセッサ４１０は、メモリ４２０に格納された命令を実行するように構成される。プロセッサ４１０により駆動されるトランシーバ４３０は、具体的な信号を送信又は受信するように構成される。
【０１５１】
トランシーバ４３０は、制御チャネル・リソース・セットのコンフィギュレーション情報を受信するように構成され、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む。
【０１５２】
プロセッサ４１０は、コンフィギュレーション情報に基づいて制御チャネルの時間−周波数リソースを決定するように構成される。
【０１５３】
トランシーバ４３０は、制御チャネルの時間−周波数リソース・ブロックで制御情報を受信するように更に構成される。
【０１５４】
本願のこの実施形態で提供される端末デバイスは、制御チャネル・リソース・セットのコンフィギュレーション情報に基づいて、制御チャネルの時間−周波数リソースを知る。制御チャネルの時間−周波数リソースは、不連続的であり、複数の時間−周波数リソース・ブロックを含み、複数の時間−周波数リソース・ブロックの間にインターバルが存在する。従って、チャネル環境の中で比較的多数の信号経路が生じたとしても、端末デバイスは、制御チャネルで制御情報を受信する場合に、より良い周波数ダイバーシティ・ゲインを獲得し、伝送効率を向上させることができる。
【０１５５】
端末デバイス４００のコンポーネントは接続される。具体的には、プロセッサ４１０と、メモリ４２０と、トランシーバ４３０とは、制御信号及び／又はデータ信号を送信するために、内部接続経路を介して互いに通信する。本願の上記の方法の実施形態は、プロセッサに適用されることが可能であり、あるいはプロセッサは上記の方法の実施形態におけるステップを実現することに留意すべきである。プロセッサは、集積回路チップであってもよく、信号処理能力を有する。実装プロセスにおいて、上記の方法の実施形態におけるステップは、プロセッサにおけるハードウェア統合論理回路を利用することにより、あるいはソフトウェア形式の命令を利用することにより実装されることが可能である。プロセッサは、中央処理装置（ｃｅｎｔｒａｌ  ｐｒｏｃｅｓｓｉｎｇ  ｕｎｉｔ，ＣＰＵ）、ネットワーク・プロセッサ（ｎｅｔｗｏｒｋ  ｐｒｏｃｅｓｓｏｒ，ＮＰ）、ＣＰＵ及びＮＰの組み合わせ、ディジタル信号プロセッサ（ｄｉｇｉｔａｌ  ｓｉｇｎａｌ  ｐｒｏｃｅｓｓｏｒ，ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ，ＡＳＩＣ）、フィールド・プログラマブル・ゲート・アレイ（ｆｉｅｌｄ  ｐｒｏｇｒａｍｍａｂｌｅ  ｇａｔｅ  ａｒｒａｙ，ＦＰＧＡ）又は他のプログラマブル論理デバイス、ディスクリート・ゲート、トランジスタ論理デバイス、又はディスクリート・ハードウェア・コンポーネントであってもよい。プロセッサは、本願で開示される方法、ステップ、及び論理ブロック図を実装又は実行することができる。汎用プロセッサはマイクロプロセッサであってもよく、あるいはプロセッサは任意の通常のプロセッサ等であってもよい。本願に関連して開示される方法のステップは、ハードウェア・デコーディング・プロセッサにより直接的に実行されて成し遂げられてもよいし、あるいはハードウェアとデコーディング・プロセッサにおけるソフトウェア・モジュールとの組み合わせを利用することにより実行されて成し遂げられてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタ等の当該分野で成熟している記憶媒体に配置されてもよい。記憶媒体はメモリに配置され、プロセッサは、メモリ内の情報を読み込み、プロセッサのハードウェアとの組み合わせで上記の方法におけるステップを実現する。
【０１５６】
選択的に、本願の別の実施形態において、時間−周波数リソース・ブロックは少なくとも１つのリソース・エレメント・グループＲＥＧセットを含み、ＲＥＧセットは、時間ドメイン又は周波数ドメインにおいて連続する又は隣接する複数のＲＥＧを含む。
【０１５７】
選択的に、本願の別の実施形態において、２つの隣接する時間−周波数リソース・ブロック間のインターバルは、周波数ドメインにおいて、整数個のＲＥＧに対応する周波数ドメイン・リソース、又は整数個のＲＥＧセットに対応する周波数ドメイン・リソースを含む。
【０１５８】
選択的に、本願の別の実施形態において、リソース・セットの周波数ドメイン中心位置についてのものであって、同期信号ブロックの周波数ドメイン中心位置に対するオフセットは、予め決定され、あるいはコンフィギュレーション情報により通知され；及び同期信号ブロックはコンフィギュレーション情報を含む。
【０１５９】
選択的に、本願の別の実施形態において、時間−周波数リソース・ブロックの量と、２つの隣接する時間−周波数リソース・ブロック間のインターバルとのうちの少なくとも１つが、予め決定される。
【０１６０】
選択的に、本願の別の実施形態において、時間−周波数リソース・ブロックに含まれるＲＥＧセットの量とＲＥＧセットに含まれるＲＥＧの量とのうちの少なくとも１つが、予め決定される、あるいはコンフィギュレーション情報により通知される。
【０１６１】
選択的に、本願の別の実施形態において、プロセッサ４１０は、同期信号ブロックにおけるセル識別子に基づいてオフセットを決定するように更に構成される。
【０１６２】
本願のこの実施形態で提供される端末デバイスにおいて、制御情報を受信するための制御チャネルは、周波数ドメイン全体の中で不連続的であり、周波数ドメイン・インターバルを有する。端末デバイスは、このフォーマットの制御チャネルで制御情報を受信し、より良い周波数ダイバーシティ・ゲインを獲得し、伝送効率を向上させることもできる。異なるセルの制御チャネルの周波数ドメイン中心位置は、制御チャネル・リソース・セットの周波数ドメイン中心位置に対して異なるオフセットを有する。様々なセルにおける端末デバイスの制御チャネルは周波数ドメインでオーバーラップせず、端末デバイスが様々なセル内で各自の制御チャネルで制御情報を受信する場合に、端末デバイスが隣接セルから被る干渉を減らす。
【０１６３】
本願のこの実施形態において、プロセッサ４１０は処理モジュールにより実装されてもよいこと、メモリ４２０はストレージ・モジュールにより実装されてもよいこと、トランシーバ４３０はトランシーバ・モジュールにより実装されてもよいことに留意すべきである。図１０に示されるように、端末デバイス５００は、処理モジュール５１０と、ストレージ・モジュール５２０と、トランシーバ・モジュール５３０とを含み得る。
【０１６４】
図１４に示される端末デバイス４００又は図１５に示される端末デバイス５００は、図４の端末デバイスにより実行されるステップを実装することが可能である。繰り返しを避けるために、詳細はここで再び説明されない。
【０１６５】
図１６は本願の実施形態によるネットワーク・デバイス６００の概略ブロック図である。ネットワーク・デバイスの実施形態と方法の実施形態とは互いに対応していることが理解されるべきである。同様な説明については、方法の実施形態を参照されたい。図１６に示されるように、ネットワーク・デバイス６００は、プロセッサ６１０と、メモリ６２０と、トランシーバ６３０とを含む。プロセッサ６１０と、メモリ６２０と、トランシーバ６３０とは接続されている。メモリ６２０は命令を格納する。プロセッサ６１０はメモリ６２０に格納された命令を実行するように構成される。プロセッサ６１０により駆動されるトランシーバ６３０は、具体的な信号を送信又は受信するように構成される。
【０１６６】
トランシーバ６１０は、制御チャネル・リソース・セットのコンフィギュレーション情報を生成するように構成され、コンフィギュレーション情報は制御チャネル・リソース・セットを示すために使用され、コンフィギュレーション情報は、制御チャネルの時間−周波数リソース・ブロックの量と、２つの隣接する時間−周波数リソース・ブロック間のインターバルとのうちの少なくとも１つを含む。
【０１６７】
トランシーバ６２０はコンフィギュレーション情報を送信するように構成される。
【０１６８】
本願のこの実施形態はネットワーク・デバイスを提供する。ネットワーク・デバイスは、制御チャネルの時間−周波数リソースを指定するために、制御チャネル・リソース・セットのコンフィギュレーション情報を利用する。制御チャネルの時間−周波数リソースは、不連続的であり、複数の時間−周波数リソース・ブロックを含み、複数の時間−周波数リソース・ブロックの間にインターバルが存在する。従って、チャネル環境の中で比較的多数の信号経路が生じたとしても、端末デバイスは、制御チャネルで制御情報を受信する場合に、より良い周波数ダイバーシティ・ゲインを獲得し、伝送効率を向上させることができる。
【０１６９】
ネットワーク・デバイス６００におけるコンポーネントは接続されている。具体的には、プロセッサ６１０と、メモリ６２０と、トランシーバ６３０とは、制御信号及び／又はデータ信号を送信するために、内部接続経路を介して互いに通信する。本願の上記の方法の実施形態は、プロセッサに適用されることが可能であり、あるいはプロセッサは上記の方法の実施形態におけるステップを実現することに留意すべきである。プロセッサは、集積回路チップであってもよく、信号処理能力を有する。実装プロセスにおいて、上記の方法の実施形態におけるステップは、プロセッサにおけるハードウェア統合論理回路を利用することにより、あるいはソフトウェア形式の命令を利用することにより実装されることが可能である。プロセッサは、中央処理装置ＣＰＵ、ＮＰ、ＣＰＵ及びＮＰの組み合わせ、ＤＳＰ、ＡＳＩＣ、ＦＰＧＡ又は他のプログラマブル論理デバイス、ディスクリート・ゲート、トランジスタ論理デバイス、又はディスクリート・ハードウェア・コンポーネントであってもよい。プロセッサは、本願で開示される方法、ステップ、及び論理ブロック図を実装又は実行することができる。汎用プロセッサはマイクロプロセッサであってもよく、あるいはプロセッサは任意の通常のプロセッサ等であってもよい。本願に関連して開示される方法のステップは、ハードウェア・デコーディング・プロセッサにより直接的に実行されて成し遂げられてもよいし、あるいはハードウェアとデコーディング・プロセッサにおけるソフトウェア・モジュールとの組み合わせを利用することにより実行されて成し遂げられてもよい。ソフトウェア・モジュールは、ランダム・アクセス・メモリ、フラッシュ・メモリ、リード・オンリ・メモリ、プログラマブル・リード・オンリ・メモリ、電気的に消去可能なプログラマブル・メモリ、又はレジスタ等の当該分野で成熟している記憶媒体に配置されてもよい。記憶媒体はメモリに配置され、プロセッサは、メモリ内の情報を読み込み、プロセッサのハードウェアとの組み合わせで上記の方法におけるステップを実現する。
【０１７０】
選択的に、本願の別の実施形態において、時間−周波数リソース・ブロックは少なくとも１つのリソース・エレメント・グループＲＥＧセットを含み、ＲＥＧセットは、時間ドメイン又は周波数ドメインにおいて連続する又は隣接する複数のＲＥＧを含む。
【０１７１】
選択的に、本願の別の実施形態において、２つの隣接する時間−周波数リソース・ブロック間のインターバルは、周波数ドメインにおいて、整数個のＲＥＧに対応する周波数ドメイン・リソース、又は整数個のＲＥＧセットに対応する周波数ドメイン・リソースを含む。
【０１７２】
選択的に、本願の別の実施形態において、リソース・セットの周波数ドメイン中心位置についてのものであって、同期信号ブロックの周波数ドメイン中心位置に対するオフセットは、予め決定され、あるいはコンフィギュレーション情報により通知され；及び同期信号ブロックはコンフィギュレーション情報を含む。
【０１７３】
選択的に、本願の別の実施形態において、時間−周波数リソース・ブロックの量と、２つの隣接する時間−周波数リソース・ブロック間のインターバルとのうちの少なくとも１つが、予め決定される。
【０１７４】
選択的に、本願の別の実施形態において、時間−周波数リソース・ブロックに含まれるＲＥＧセットの量とＲＥＧセットに含まれるＲＥＧの量とのうちの少なくとも１つが、予め決定されるか、あるいはコンフィギュレーション情報により通知される。
【０１７５】
本願のこの実施形態で提供されるネットワーク・デバイスにおいて、提供される制御チャネルは周波数ドメイン全体の中で不連続的であり、周波数ドメイン・インターバルを有する。ネットワーク・デバイスは、このフォーマットの制御チャネルで制御情報を送信し、また、より良い周波数ダイバーシティ・ゲインを獲得し、伝送効率を向上させることができる。しかしながら、異なるセルの制御チャネルの周波数ドメイン中心位置は、制御チャネル・リソース・セットの周波数ドメイン中心位置に対する異なるオフセットを有し、具体的には、様々なセルの制御チャネルは周波数ドメインでオーバーラップせず、制御情報が様々なセルで各自の制御チャネルで受信される場合に、様々なセルが隣接セルから被る干渉を減らす。更に、制御チャネル・リソース・セットのコンフィギュレーション情報は、制御チャネルの時間−周波数リソースを示すために使用され、制御チャネルの時間−周波数リソースを５Ｇで示すことができない問題を解決する。
【０１７６】
本願のこの実施形態において、プロセッサ６１０は処理モジュールにより実装されてもよいこと、メモリ６２０はストレージ・モジュールにより実装されてもよいこと、トランシーバ６３０はトランシーバ・モジュールにより実装されてもよいことに留意すべきである。図１２に示されるように、端末デバイス７００は、処理モジュール７１０と、ストレージ・モジュール７２０と、トランシーバ・モジュール７３０とを含み得る。
【０１７７】
図１６に示されるネットワーク・デバイス６００又は図１７に示されるネットワーク・デバイス７００は、図１３のネットワーク・デバイスにより実行されるステップを実装することが可能である。繰り返しを避けるために、詳細はここで再び説明されない。
【０１７８】
本願の実施形態は、コンピュータ・プログラム・コードを格納するように構成されるコンピュータ読み取り可能な媒体を更に提供する。コンピュータ・プログラムは、図４及び図８の本願の実施形態による情報送信方法を実行するために使用される命令を含む。読み取り可能な媒体はリード・オンリ・メモリ（ｒｅａｄ−ｏｎｌｙ  ｍｅｍｏｒｙ，ＲＯＭ）又はランダム・アクセス・メモリ（ｒａｎｄｏｍ  ａｃｃｅｓｓ  ｍｅｍｏｒｙ，ＲＡＭ）であってもよい。これは本願のこの実施形態で限定されない。
【０１７９】
本願の実施形態は通信システムを更に提供する。通信システムは、本願の上記実施形態で提供される端末デバイス、及び本願の上記実施形態で提供されるネットワーク・デバイスを含む。通信システムは、本願の実施形態で提供される任意の情報送信方法を実現することができる。
【０１８０】
本明細書において「及び／又は」と「Ａ又はＢのうちの少なくとも１つ」の用語は、関連するオブジェクトを説明する関連関係のみを説明しているに過ぎず、３つの関係が存在し得ることを表していることが理解されるべきである。例えば、Ａ及び／又はＢは、Ａのみが存在すること、Ａ及びＢの双方が存在すること、及びＢのみが存在することという３つのケースを表現し得る。更に、本明細書における「／」という記号は一般的に関連するオブジェクト間の「ｏｒ」の関係を示す。
【０１８１】
当業者は、本明細書で開示される実施形態で説明される例との組み合わせにおいて、ユニット及びアルゴリズム・ステップは、電子ハードウェア、又はコンピュータ・ソフトウェアと電子ハードウェアとの組み合わせにより実現されてもよいことを認識するであろう。機能がハードウェア又はソフトウェアにより実行されるか否かは、技術的ソリューションの特定のアプリケーション及び設計制約条件に依存する。当業者は、各々の特定のアプリケーションについて説明された機能を実装するために様々な方法を利用することが可能であるが、実装は本願の範囲を超えて行くものであると解釈されるべきではない。
【０１８２】
説明の簡明化の目的で、上記のシステム、装置、及びユニットの詳細な動作プロセスについては、上記の方法の実施形態における対応するプロセスが参照され得ることが、当業者により明確に理解され得る。詳細はここで再び説明されない。
【０１８３】
本願で提供される幾つかの実施形態において、開示されるシステム、装置、及び方法は他の仕方で実装され得ることが理解されるべきである。例えば、説明された装置の実施形態は単なる例に過ぎない。例えば、ユニットの区分は単なる論理的な機能区分に過ぎず、実際の実装では他の区分であってもよい。例えば、複数のユニット又はコンポーネントが組み合わせられ、又は他のシステムに統合されてもよく、あるいは幾つかの特徴が無視され又は実行されなくてもよい。更に、図示又は説明される相互結合又は直接的な結合又は通信接続は幾つかのインターフェースを介して実装されてもよい。装置又はユニットの間の間接的な結合又は通信接続は、電子的、機械的、又はその他の形式で実装されてもよい。
【０１８４】
別個のパーツとして説明されたユニットは、物理的に別個であってもなくてもよく、ユニットとして図示されるパーツは物理的にユニットであってもなくてもよく、一箇所に配置されてもよいし、あるいは複数のネットワーク・ユニットに分散されてもよい。全部又は一部のユニットは、実施形態のソリューションの目的を達成するように実際の条件に基づいて選択され得る。
【０１８５】
更に、本願の実施形態における機能ユニットは、１つの処理ユニットに統合されてもよいし、あるいは各々のユニットは物理的に単独で存在してもよいし、あるいは２つ以上のユニットが１つのユニットに統合される。
【０１８６】
機能がソフトウェア機能ユニットの形式で実装され、独立した製品として販売され又は使用される場合、機能はコンピュータ読み取り可能な記憶媒体に保存されてもよい。そのような理解に基づいて、本願の技術的ソリューションは本質的に、又は従来技術に対して貢献する部分、又は幾つかの技術的ソリューションは、ソフトウェア・プロダクトの形式で実装されてもよい。コンピュータ・ソフトウェア・プロダクトは、記憶媒体に格納され、本願の実施形態で説明される方法のステップのうちの全部又は一部を実行するために、コンピュータ・デバイス（パーソナル・コンピュータ、サーバー、ネットワーク・デバイス等であってもよい）を指図する幾つかの命令を含む。上記の記憶媒体は：ＵＳＢフラッシュ・ドライブ、リムーバブル・ハード・ディスク、ＲＯＭ、ＲＡＭ、磁気ディスク、又は光ディスク等のプログラム・コードを格納することが可能な任意の媒体を含む。
【０１８７】
上記の説明は本願の単なる具体的な実装であるに過ぎず、本願の保護範囲を限定するようには意図されてない。本願で開示される技術的な範囲内で当業者により容易に把握される任意の変形又は置換は、本願の保護範囲内に属するものとする。従って、本願の保護範囲は特許請求の範囲の保護範囲次第である。
【図１】
2020523933.tif 000003
【図２】
2020523933.tif 000004
【図３】
2020523933.tif 000005
【図４】
2020523933.tif 000006
【図５】
2020523933.tif 000007
【図６】
2020523933.tif 000008
【図７】
2020523933.tif 000009
【図８】
2020523933.tif 000010
【図９】
2020523933.tif 000011
【図１０】
2020523933.tif 000012
【図１１】
2020523933.tif 000013
【図１２】
2020523933.tif 000014
【図１３】
2020523933.tif 000015
【図１４】
2020523933.tif 000016
【図１５】
2020523933.tif 000017
【図１６】
2020523933.tif 000018
【図１７】
2020523933.tif 000019
【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
情報受信方法であって：
制御チャネル・リソース・セットのコンフィギュレーション情報を受信するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；
前記コンフィギュレーション情報に基づいて前記制御チャネル・リソース・セットを決定するステップ；及び
前記制御チャネル・リソース・セット内の制御情報を受信するステップ；
を含む方法。
【請求項２】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項１に記載の方法。
【請求項３】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項１に記載の方法。
【請求項４】
２つの隣接する時間−周波数リソース・ブロック間の前記インターバルは整数個のＲＥＧに対応する周波数ドメイン・リソースである、又は２つの隣接する時間−周波数リソース・ブロック間の前記インターバルは整数個のＲＥＧセットに対応する周波数ドメイン・リソースである、請求項２又は３に記載の方法。
【請求項５】
２つの隣接する時間−周波数リソース・ブロック間の前記インターバルは１つ以上の値を含む、請求項４に記載の方法。
【請求項６】
前記ＲＥＧセットの周波数ドメイン・サイズは、周波数ドメインにおいて連続する又は隣接する２個のＲＥＧ、３個のＲＥＧ、又は６個のＲＥＧである、請求項２−５のうちの何れか１項に記載の方法。
【請求項７】
前記ＲＥＧセットの時間ドメイン・サイズは、時間ドメインにおいて連続する又は隣接する１個のＲＥＧ、２個のＲＥＧ、又は３個のＲＥＧである、請求項２−５のうちの何れか１項に記載の方法。
【請求項８】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項１−７のうちの何れか１項に記載の方法。
【請求項９】
前記ＲＥＧセットに含まれるＲＥＧの量は予め定められている、請求項２−８のうちの何れか１項に記載の方法。
【請求項１０】
制御チャネル・リソース・セットのコンフィギュレーション情報を生成するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；及び
前記コンフィギュレーション情報を送信するステップ；
を含む方法。
【請求項１１】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項１０に記載の方法。
【請求項１２】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項１０に記載の方法。
【請求項１３】
２つの隣接する時間−周波数リソース・ブロック間の前記インターバルは周波数ドメインにおける整数個のＲＥＧに対応する周波数ドメイン・リソースである、又は２つの隣接する時間−周波数リソース・ブロック間の前記インターバルは周波数ドメインにおける整数個のＲＥＧセットに対応する周波数ドメイン・リソースである、請求項１１又は１２に記載の方法。
【請求項１４】
２つの隣接する時間−周波数リソース・ブロック間の前記インターバルは１つ以上の値を含む、請求項１３に記載の方法。
【請求項１５】
前記ＲＥＧセットの周波数ドメイン・サイズは、周波数ドメインにおいて連続する又は隣接する２個のＲＥＧ、３個のＲＥＧ、又は６個のＲＥＧである、請求項１１−１４のうちの何れか１項に記載の方法。
【請求項１６】
前記ＲＥＧセットの時間ドメイン・サイズは、時間ドメインにおいて連続する又は隣接する１個のＲＥＧ、２個のＲＥＧ、又は３個のＲＥＧである、請求項１１−１４のうちの何れか１項に記載の方法。
【請求項１７】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項１０−１６のうちの何れか１項に記載の方法。
【請求項１８】
前記ＲＥＧセットに含まれるＲＥＧの量は予め定められている、請求項１１−１７のうちの何れか１項に記載の方法。
【請求項１９】
プロセッサとメモリとを含む情報受信装置であって、前記メモリは命令を保存するように構成されており、前記プロセッサは、以下のオペレーション：
制御チャネル・リソース・セットのコンフィギュレーション情報を受信するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；
前記コンフィギュレーション情報に基づいて前記制御チャネル・リソース・セットを決定するステップ；及び
前記制御チャネル・リソース・セット内の制御情報を受信するステップ；
を行うように前記装置を制御するために、前記メモリに保存されている前記命令を実行するように構成されている、装置。
【請求項２０】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項１９に記載の装置。
【請求項２１】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項１９に記載の装置。
【請求項２２】
２つの隣接する時間−周波数リソース・ブロック間の前記インターバルは周波数ドメインにおける整数個のＲＥＧに対応する周波数ドメイン・リソースである、又は２つの隣接する時間−周波数リソース・ブロック間の前記インターバルは周波数ドメインにおける整数個のＲＥＧセットに対応する周波数ドメイン・リソースである、請求項２０又は２１に記載の装置。
【請求項２３】
２つの隣接する時間−周波数リソース・ブロック間の前記インターバルは１つ以上の値を含む、請求項２２に記載の装置。
【請求項２４】
前記ＲＥＧセットの周波数ドメイン・サイズは、周波数ドメインにおいて連続する又は隣接する２個のＲＥＧ、３個のＲＥＧ、又は６個のＲＥＧである、請求項２０−２３のうちの何れか１項に記載の装置。
【請求項２５】
前記ＲＥＧセットの時間ドメイン・サイズは、時間ドメインにおいて連続する又は隣接する１個のＲＥＧ、２個のＲＥＧ、又は３個のＲＥＧである、請求項２０−２３のうちの何れか１項に記載の装置。
【請求項２６】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項１９−２３のうちの何れか１項に記載の装置。
【請求項２７】
前記ＲＥＧセットに含まれるＲＥＧの量は予め定められている、請求項２０−２６のうちの何れか１項に記載の装置。
【請求項２８】
プロセッサとメモリとを含む情報送信装置であって、前記メモリは命令を保存するように構成されており、前記プロセッサは、以下のオペレーション：
制御チャネル・リソース・セットのコンフィギュレーション情報を生成するステップであって、前記コンフィギュレーション情報は前記制御チャネル・リソース・セットを示すために使用され、前記コンフィギュレーション情報は、前記制御チャネル・リソース・セットの時間−周波数リソース・ブロックの量と、２つの隣接する時間−周波数リソース・ブロック間のインターバルとのうちの少なくとも１つを示す、ステップ；及び
前記コンフィギュレーション情報を送信するステップ；
を行うように前記装置を制御するために、前記メモリに保存されている前記命令を実行するように構成されている、装置。
【請求項２９】
前記時間−周波数リソース・ブロックは周波数ドメインにおいて６個の連続するリソース・エレメント・グループＲＥＧを含み、前記６個のＲＥＧの各々は周波数ドメインにおいて１２個の連続するサブキャリアを占める、請求項２８に記載の装置。
【請求項３０】
前記時間−周波数リソース・ブロックは少なくとも１つのリソース・エレメント・グループＲＥＧセットを含み、前記ＲＥＧセットは時間ドメイン及び／又は周波数ドメインにおいて連続する又は隣接する複数のＲＥＧを含み、前記複数のＲＥＧの各々は、周波数ドメインにおいて１２個の連続するサブキャリアを占め、時間ドメインにおいて１つのＯＦＤＭシンボル長を占める、請求項２８に記載の装置。
【請求項３１】
２つの隣接する時間−周波数リソース・ブロック間の前記インターバルは周波数ドメインにおける整数個のＲＥＧに対応する周波数ドメイン・リソースである、又は２つの隣接する時間−周波数リソース・ブロック間の前記インターバルは周波数ドメインにおける整数個のＲＥＧセットに対応する周波数ドメイン・リソースである、請求項２９又は３０に記載の装置。
【請求項３２】
２つの隣接する時間−周波数リソース・ブロック間の前記インターバルは１つ以上の値を含む、請求項３１に記載の装置。
【請求項３３】
前記ＲＥＧセットの周波数ドメイン・サイズは、周波数ドメインにおいて連続する又は隣接する２個のＲＥＧ、３個のＲＥＧ、又は６個のＲＥＧである、請求項２９−３２のうちの何れか１項に記載の装置。
【請求項３４】
前記ＲＥＧセットの時間ドメイン・サイズは、時間ドメインにおいて連続する又は隣接する１個のＲＥＧ、２個のＲＥＧ、又は３個のＲＥＧである、請求項２９−３２のうちの何れか１項に記載の装置。
【請求項３５】
同期信号ブロックの周波数ドメイン中心位置から前記リソース・セットの周波数ドメイン中心位置までのオフセットは前記コンフィギュレーション情報により示され、前記同期信号ブロックはブロードキャスト情報と同期信号とを含み、前記ブロードキャスト情報は前記コンフィギュレーション情報を含む、請求項２８−３２のうちの何れか１項に記載の装置。
【請求項３６】
前記ＲＥＧセットに含まれるＲＥＧの量は予め定められている、請求項２９−３５のうちの何れか１項に記載の装置。
【請求項３７】
コンピュータ・プログラムを保存するように構成されるコンピュータ読み取り可能な記憶媒体であって、前記コンピュータ・プログラムがコンピュータで実行されると、前記コンピュータは請求項１−９のうちの何れか１項に記載の方法を実行するように動作させられる、記憶媒体。
【請求項３８】
コンピュータ・プログラムを保存するように構成されるコンピュータ読み取り可能な記憶媒体であって、前記コンピュータ・プログラムがコンピュータで実行されると、前記コンピュータは請求項１０−１８のうちの何れか１項に記載の方法を実行するように動作させられる、記憶媒体。
【手続補正２】
【補正対象書類名】明細書
【補正対象項目名】００２５
【補正方法】変更
【補正の内容】
【００２５】
第６態様によれば、ネットワーク・デバイスが提供される。ネットワーク・デバイスは、処理モジュールと、ストレージ・モジュールと、トランシーバ・モジュールとを含み、これらは第２態様又は第２態様の可能な実装のうちの任意の１つにおけるネットワーク・デバイスの機能を実行する際にネットワーク・デバイスをサポートするように構成される。機能はハードウェアにより実装されてもよいし、あるいはハードウェアにより実行される対応するソフトウェアにより実装されてもよい。ハードウェア又はソフトウェアは機能に対応する１つ以上のモジュールを含む。
【手続補正３】
【補正対象書類名】明細書
【補正対象項目名】００２６
【補正方法】変更
【補正の内容】
【００２６】
第７態様によれば、通信システムが提供される。通信システムは、第３態様又は第４態様で提供される端末デバイスと、第５態様又は第６態様で提供されるネットワーク・デバイスとを含む。通信システムは、第１態様及び第２態様で提供される情報送信方法を実現することができる。
【手続補正４】
【補正対象書類名】明細書
【補正対象項目名】００４８
【補正方法】変更
【補正の内容】
【００４８】
本願の技術的ソリューションは、例えば、ＬＴＥ／ＬＴＥ−Ａシステム、ＬＴＥ／ＬＴＥ−Ａ周波数分割複信（ｆｒｅｑｕｅｎｃｙ  ｄｉｖｉｓｉｏｎ  ｄｕｐｌｅｘ，ＦＤＤ）システム、ＬＴＥ／ＬＴＥ−Ａ時分割複信（ｔｉｍｅ  ｄｉｖｉｓｉｏｎ  ｄｕｐｌｅｘ，ＴＤＤ）システム、ユニバーサル移動通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ，ＵＭＴＳ）、マイクロ波アクセスの世界的相互運用性（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）通信システム、公衆移動端末網（ｐｕｂｌｉｃ  ｌａｎｄ  ｍｏｂｉｌｅ  ｎｅｔｗｏｒｋ，ＰＬＭＮ）システム、デバイス・ツー・デバイス（ｄｅｖｉｃｅ  ｔｏ  ｄｅｖｉｃｅ，Ｄ２Ｄ）ネットワーク・システム又はマシン・ツー・マシン（ｍａｃｈｉｎｅ  ｔｏ  ｍａｃｈｉｎｅ，Ｍ２Ｍ）ネットワーク・システム、ワイファイ（ｗｉｒｅｌｅｓｓ  ｆｉｄｅｌｉｔｙ，Ｗｉ−Ｆｉ）システム、ワイヤレス・ローカル・エリア・ネットワーク（ｗｉｒｅｌｅｓｓ  ｌｏｃａｌ  ａｒｅａ  ｎｅｔｗｏｒｋ，ＷＬＡＮ）、及び将来の５Ｇ通信システム等の様々な通信システムに適用され得ることが理解されるべきである。
【手続補正５】
【補正対象書類名】明細書
【補正対象項目名】００４９
【補正方法】変更
【補正の内容】
【００４９】
本願の実施形態において、端末デバイスはまた、ユーザー装置（ｕｓｅｒ  ｅｑｕｉｐｍｅｎｔ，ＵＥ）、モバイル・ステーション（ｍｏｂｉｌｅ  ｓｔａｔｉｏｎ，ＭＳ）、移動端末（ｍｏｂｉｌｅ  ｔｅｒｍｉｎａｌ）等と言及され得ることが更に理解されるべきである。端末デバイスは、ワイヤレス・アクセス・ネットワーク（ｒａｄｉｏ  ａｃｃｅｓｓ  ｎｅｔｗｏｒｋ，ＲＡＮ）を介して１つ以上のコア・ネットワークと通信することができる。例えば、端末デバイスは、様々な携帯デバイス、車載デバイス、ウェアラブル・デバイス、及びワイヤレス通信機能を有するコンピューティング・デバイス、又はワイヤレス・モデムに接続される別の処理デバイスを含んでもよい。端末デバイスはまた、加入者ユニット、セルラ電話（ｃｅｌｌｕｌａｒ  ｐｈｏｎｅ）、スマート・フォン（ｓｍａｒｔ  ｐｈｏｎｅ）、ワイヤレス・データ・カード、パーソナル・ディジタル・アシスタント（Ｐｅｒｓｏｎａｌ  Ｄｉｇｉｔａｌ  Ａｓｓｉｓｔａｎｔ，ＰＤＡ）コンピュータ、タブレット・コンピュータ、ワイヤレス・モデム（ｍｏｄｅｍ）、ハンドセット（ｈａｎｄｓｅｔ）、ラップトップ・コンピュータ（ｌａｐｔｏｐ  ｃｏｍｐｕｔｅｒ）、マシン・タイプ通信（ｍａｃｈｉｎｅ  ｔｙｐｅ  ｃｏｍｍｕｎｉｃａｔｉｏｎ，ＭＴＣ）端末、ワイヤレス・ローカル・エリア・ネットワーク（ｗｉｒｅｌｅｓｓ  ｌｏｃａｌ  ａｒｅａ  ｎｅｔｗｏｒｋｓ，ＷＬＡＮ）におけるステーション（ｓｔａｔｉｏｎ，ＳＴＡ）等を含み得る。端末デバイスは、セルラ電話、コードレス電話セット、セッション・イニシエーション・プロトコル（Ｓｅｓｓｉｏｎ  Ｉｎｉｔｉａｔｉｏｎ  Ｐｒｏｔｏｃｏｌ，ＳＩＰ）電話、ワイヤレス・ローカル・ループ（ｗｉｒｅｌｅｓｓ  ｌｏｃａｌ  ｌｏｏｐ，ＷＬＬ）ステーション、及び次世代通信システム、例えば、５Ｇネットワークにおける端末デバイス、又は将来の発展した公衆移動通信網（Ｐｕｂｌｉｃ  Ｌａｎｄ  Ｍｏｂｉｌｅ  Ｎｅｔｗｏｒｋ，ＰＬＭＮ）における端末デバイスであってもよい。これは本願の実施形態で限定されない。
【手続補正６】
【補正対象書類名】明細書
【補正対象項目名】００５０
【補正方法】変更
【補正の内容】
【００５０】
基地局はまた、ネットワーク・サイド・デバイス、又はアクセス・ネットワーク・デバイスと言及されてもよいことが更に理解されるべきである。ネットワーク・サイド・デバイスは、端末デバイスと通信するように構成されるデバイスであり得る。ネットワーク・デバイスは、ＬＴＥシステムにおけるエボルブドＮｏｄｅＢ（ｅｖｏｌｖｅｄ  Ｎｏｄｅ  Ｂ，ｅＮＢ  ｏｒ  ｅＮｏｄｅＢ）、ＮＲにおけるｇＮＢ、アクセス・ポイント、基地局トランシーバ、送受信ポイント等であってもよいし、あるいは車載デバイス、ウェアラブル・デバイス、将来の５Ｇネットワークにおけるネットワーク・デバイス、又は将来のエボルブドＰＬＭＮシステムにおけるネットワーク・サイド・デバイスであってもよい。例えば、ネットワーク・サイド・デバイスは、ＷＬＡＮにおけるアクセス・ポイント（ａｃｃｅｓｓ  ｐｏｉｎｔ，ＡＰ）であってもよいし、あるいは移動通信用グローバル・システム（ｇｌｏｂａｌ  ｓｙｓｔｅｍ  ｆｏｒ  ｍｏｂｉｌｅ  ｃｏｍｍｕｎｉｃａｔｉｏｎｓ，ＧＳＭ）又は符号分割多元接続（ｃｏｄｅ  ｄｉｖｉｓｉｏｎ  ｍｕｌｔｉｐｌｅ  ａｃｃｅｓｓ，ＣＤＭＡ）におけるベース・トランシーバ・ステーション（Ｂａｓｅ  Ｔｒａｎｓｃｅｉｖｅｒ  Ｓｔａｔｉｏｎ，ＢＴＳ）であってもよい。ネットワーク・デバイスはＬＴＥシステムにおけるエボルブドＮｏｄｅＢ（ｅｖｏｌｖｅｄ  ＮｏｄｅＢ，ｅＮＢ  ｏｒ  ｅＮｏｄｅＢ）であってもよい。代替的に、ネットワーク・デバイスは第３世代（３ｒｄ  Ｇｅｎｅｒａｔｉｏｎ，３Ｇ）システムにおけるノードＢ（Ｎｏｄｅ  Ｂ）であってもよい。更に、ネットワーク・デバイスは、リレー・ノード、アクセス・ポイント、車載デバイス、ウェアラブル・デバイス、将来の５Ｇネットワークにおけるネットワーク・デバイス、将来の発展したＰＬＭＮネットワークにおけるネットワーク・デバイス等であってもよい。これは本願の実施形態で限定されない。説明を容易にするために、本願の全ての実施形態において、ＭＳに無線通信機能を提供する上記の装置はまとめてネットワーク・デバイスと言及される。
【手続補正７】
【補正対象書類名】明細書
【補正対象項目名】００５２
【補正方法】変更
【補正の内容】
【００５２】
シンボルは、直交周波数分割多重（ｏｒｔｈｏｇｏｎａｌ  ｆｒｅｑｕｅｎｃｙ  ｄｉｖｉｓｉｏｎ  ｍｕｌｔｉｐｌｅｘｉｎｇ，ＯＦＤＭ）シンボル、スパース符号多元接続（ｓｐａｒｓｅ  ｃｏｄｅ  ｍｕｌｔｉｐｌｅ  ａｃｃｅｓｓ，ＳＣＭＡ）シンボル、フィルタ処理された直交周波数分割多重（ｆｉｌｔｅｒｅｄ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ，Ｆ−ＯＦＤＭ）シンボル、非直交多元接続（ｎｏｎ−ｏｒｔｈｏｇｏｎａｌ  ｍｕｌｔｉｐｌｅ  ａｃｃｅｓｓ，ＮＯＭＡ）シンボル等を含むが、これらに限定されない。これは本願の実施形態で限定されない。
【手続補正８】
【補正対象書類名】明細書
【補正対象項目名】００９５
【補正方法】変更
【補正の内容】
【００９５】
以下、本願の実施形態における情報送信方法を図１０を参照しながら詳細に説明する。図１０は本願の実施形態による制御チャネル・リソース・セットの概略図である。図１０に示されるように、制御チャネル・リソース・セットは時間ドメインにおいて唯１つのＯＦＤＭシンボルを含み、周波数ドメイン全体で４８個のＲＥＧ、具体的には０ないし４７の番号が付されたＲＥＧを占有している。しかしながら、制御チャネルは周波数ドメインにおいて不連続的である。制御チャネルは周波数ドメインにおいて全部で４個のＲＥＧセットを含み、２つの隣接するＲＥＧセットの間にインターバルが存在し、具体的には４個のインターバルが存在する。各々のインターバルは６個のＲＥＧを含む。各々のＲＥＧセットはまた、周波数ドメインにおいて連続する６個のＲＥＧを含み、具体的には端末デバイスは周波数ドメインにおける４個のＲＥＧセットの中で制御情報を受信する。
【手続補正９】
【補正対象書類名】明細書
【補正対象項目名】０１１４
【補正方法】変更
【補正の内容】
【０１１４】
具体的には、実装可能な方法において、図１１に示されるように、セル１の制御チャネル・リソース・セットにより占有される帯域幅は２０ＭＨｚであり、４個の時間ドメイン・オフセットに対応する。セル２の制御チャネル・リソース・セットにより占有される帯域幅は１０ＭＨｚであり、２個の時間ドメイン・オフセットに対応する。
【手続補正１０】
【補正対象書類名】明細書
【補正対象項目名】０１１５
【補正方法】変更
【補正の内容】
【０１１５】
図１１は本願の実施形態による異なるセルの制御チャネル・リソース・セットの周波数ドメイン・オフセットの概略図である。図１１において、セル１の制御チャネル・リソース・セットにより占有される帯域幅は２０ＭＨｚであり、セル２の制御チャネル・リソース・セットにより占有される帯域幅は１０ＭＨｚである。セル１の制御チャネル・リソース・セットとセル２の制御チャネル・リソース・セットとは周波数ドメインで不連続的である。セル１の制御チャネル・リソース・セットの周波数ドメインの中心とセル２の制御チャネル・リソース・セットの周波数ドメインの中心とは、同期信号ブロックの周波数ドメイン中心位置に対して異なるオフセットを有する。セル１の制御チャネル・リソース・セットの周波数ドメイン中心についての、同期信号ブロックの周波数ドメイン中心位置に対するオフセットは、周波数ドメインにおいて左側にＲＥＧセット１つ分である。セル２の制御チャネル・リソース・セットの周波数ドメイン中心についての、同期信号ブロックの周波数ドメイン中心位置に対するオフセットは、周波数ドメインにおいて右側にＲＥＧセット１つ分である。オフセットの後に、セル１の制御チャネル・リソース・セットとセル２の制御チャネル・リソース・セットとは、小さなオーバーラップ部分しか有しておらず、あるいは周波数ドメインでオーバーラップしない。これは、様々なセルで個々の制御リソース・セットで制御情報が受信される場合に、様々なセルが隣接セルから被る干渉を減らすことができる。
【手続補正１１】
【補正対象書類名】明細書
【補正対象項目名】０１６３
【補正方法】変更
【補正の内容】
【０１６３】
本願のこの実施形態において、プロセッサ４１０は処理モジュールにより実装されてもよいこと、メモリ４２０はストレージ・モジュールにより実装されてもよいこと、トランシーバ４３０はトランシーバ・モジュールにより実装されてもよいことに留意すべきである。図１５に示されるように、端末デバイス５００は、処理モジュール５１０と、ストレージ・モジュール５２０と、トランシーバ・モジュール５３０とを含み得る。
【国際調査報告】
2020523933.tif 000020
2020523933.tif 000021
2020523933.tif 000022
2020523933.tif 000023